(57)【特許請求の範囲】
【請求項１】
一つのスロット内に共用制御シグナリングチャネルおよび共用制御シグナリングチャネルで指定するパケットを配置する共用データチャネルを構成する移動通信システムに使用される通信方法であって、
基地局は、前記移動局へのページング情報が前記共用データチャネルに含まれることを示す信号を、前記移動局の識別情報から特定されるスロットの先頭部分に配置された前記共用制御シグナリングチャネルで送信し、
アイドルモードの移動局は、間欠的に前記移動局へのページング情報が前記共用データチャネルに含まれることを示す信号を受信する、ことを特徴とする通信方法。
【請求項２】
前記スロットは、（該移動局の識別情報／ページンググループ数）をページングスロット数で割った余りで指定されることを特徴とする請求項１記載の通信方法。
【請求項３】
前記移動局の識別情報は、ＩＭＳＩであることを特徴とする請求項１に記載の通信方法。
【請求項４】
一つのスロット内に共用制御シグナリングチャネルおよび共用制御シグナリングチャネルで指定するパケットを配置する共用データチャネルを構成する移動通信システムに使用される移動局であって、
該移動局は、基地局からの、前記移動局へのページング情報が前記共用データチャネルに含まれることを示す信号を、前記移動局の識別情報から特定されるスロットの先頭部分に配置された前記共用制御シグナリングチャネルで受信し、
アイドルモード時には、間欠的に前記移動局へのページング情報が前記共用データチャネルに含まれることを示す信号を受信する、ことを特徴とする移動局。
【請求項５】
前記スロットは、（該移動局の識別情報／ページンググループ数）をページングスロット数で割った余りで指定されることを特徴とする請求項４記載の移動局。
【請求項６】
前記移動局の識別情報は、ＩＭＳＩであることを特徴とする請求項４に記載の移動局。
【請求項７】
一つのスロット内に共用制御シグナリングチャネルおよび共用制御シグナリングチャネルで指定するパケットを配置する共用データチャネルを構成する移動通信システムに使用される基地局であって、
該基地局は、移動局へのページング情報が前記共用データチャネルに含まれることを示す信号を、前記移動局の識別情報から特定されるスロットの先頭部分に配置された前記共用制御シグナリングチャネルを含んだ信号を送信する、ことを特徴とする基地局。
【請求項８】
前記スロットは、（該移動局の識別情報／ページンググループ数）をページングスロット数で割った余りで指定されることを特徴とする請求項７記載の基地局。
【請求項９】
前記移動局の識別情報は、ＩＭＳＩであることを特徴とする請求項７に記載の基地局。
【発明の詳細な説明】
【技術分野】
【０００１】
本発明は、移動通信システムに使用される通信方法、移動局、及び基地局に関し、より詳細には、異なる周波数帯域幅Ｂｎ（例えば、Ｂｎ＝１．２５ＭＨｚ，２．５ＭＨｚ，５ＭＨｚ，１０ＭＨｚ，２０ＭＨｚ）移動局クラスの移動局装置と基地局装置とによる移動通信システムにおいて移動局装置に適応した使用周波数帯域位置の指定を行うようにした技術及び該移動局装置の位置情報を管理する位置情報管理装置に適応した移動局装置の位置登録及びページング技術に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代セルラー移動通信方式として標準化され、順次サービスが開始されている（例えば、非特許文献１参照）。Ｗ−ＣＤＭＡ方式の一つは、５ＭＨｚ無線周波数帯域幅を持つＦＤＤのスペクトル拡散方式であり、各無線物理チャネルは拡散符号により区別され、符号多重され、同じ無線周波数帯域幅により伝送されている。【０００３】
Ｗ−ＣＤＭＡ方式では、移動局から基地局への無線リンク（以下、上りリンクと称する）と、基地局から移動局への無線リンク（以下、下りリンク）がある。上り・下りリンクにおいて、レイヤ３とレイヤ２の間のＳＡＰ（Ｓｅｒｖｉｃｅ  Ａｃｃｅｓｓ  Ｐｏｉｎｔ）では論理チャネル（Ｌｏｇｉｃａｌ  Ｃｈａｎｎｅｌ），レイヤ１がレイヤ２にサービスを提供するためにトランスポートチャネル（Ｔｒａｎｓｐｏｒｔ  Ｃｈａｎｎｅｌ），トランスポートチャネルの伝送を実際の無線伝送路を使って実現するために、レイヤ１の無線ノード（基地局と移動局）の間の伝送チャネルとして定義されている物理チャネル（Ｐｈｙｓｉｃａｌ  Ｃｈａｎｎｅｌ）がある（例えば、非特許文献２参照）。【０００４】
Ｗ−ＣＤＭＡの下りリンクの物理チャネルとして、共通パイロットチャネルＣＰＩＣＨ（Ｃｏｍｍｏｎ  Ｐｉｌｏｔ  Ｃｈａｎｎｅｌ）、同期チャネルＳＣＨ（Ｓｙｎｃｈｒｏｎｉｓａｔｉｏｎ  Ｃｈａｎｎｅｌ）、ページングインジケーターチャネルＰＩＣＨ（Ｐａｇｉｎｇ  Ｉｎｄｉｃａｔｏｒ  Ｃｈａｎｎｅｌ）、第一共通制御物理チャネルＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、第二共通制御物理チャネルＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、下り個別物理データチャネルＤＰＤＣＨ（Ｄｅｄｉｃａｔｅｄ  Ｐｈｙｓｉｃａｌ  Ｄａｔａ  Ｃｈａｎｎｅｌ）、下り個別物理制御チャネルＤＰＣＣＨ（Ｄｅｄｉｃａｔｅｄ  Ｐｈｙｓｉｃａｌ  Ｃｏｎｔｒｏｌ  Ｃｈａｎｎｅｌ）、捕獲インジケーターチャネルＡＩＣＨ（Ａｃｑｕｉｓｉｔｉｏｎ  Ｉｎｄｉｃａｔ  Ｃｈａｎｎｅｌ）、などがある。【０００５】
Ｗ−ＣＤＭＡの上りリンクの物理チャネルとして、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）、上り個別物理データチャネルＤＰＤＣＨ、上り個別物理制御チャネルＤＰＣＣＨ、がある。【０００６】
Ｗ−ＣＤＭＡの下りリンクにおいて、第一共通制御物理チャネルＰ−ＣＣＰＣＨには、トランスポートチャネルの報知チャネルＢＣＨ（Ｂｒｏａｄｃａｓｔ  Ｃｈａｎｎｅｌ）、第二共通制御物理チャネルＳ−ＣＣＰＣＨには、下りアクセスチャネルＦＡＣＨ（Ｆｏｒｗａｒｄ  Ａｃｃｅｓｓ  Ｃｈａｎｎｅｌ）及びページングチャネルＰＣＨ（Ｐａｇｉｎｇ  Ｃｈａｎｎｅｌ）が含まれている。下り個別物理データチャネルＤＰＤＣＨには、トランスポートチャネルの下り個別チャネルＤＣＨ（Ｄｅｄｉｃａｔｅｄ  Ｃｈａｎｎｅｌ）が含まれている。【０００７】
Ｗ−ＣＤＭＡの上りリンクにおいて、物理ランダムアクセスチャネルＰＲＡＣＨには、トランスポートチャネルのランダムアクセスチャネルＲＡＣＨ（Ｒａｎｄｏｍ  Ａｃｃｅｓｓ  Ｃｈａｎｎｅｌ）、上り個別物理データチャネルＤＰＤＣＨには、上り個別チャネルＤＣＨ（Ｄｅｄｉｃａｔｅｄ  Ｃｈａｎｎｅｌ）が含まれている。【０００８】
また、Ｗ−ＣＤＭＡ方式の下りリンクを高速パケット通信に適用した高速下りリンクパケット無線アクセスＨＳＤＰＡ（Ｈｉｇｈ  Ｓｐｅｅｄ  Ｄｏｗｎｌｉｎｋ  Ｐａｃｋｅｔ  Ａｃｃｅｓｓ）（非特許文献３）方式が標準化されている。【０００９】
ＨＳＤＰＡ方式の下りリンク物理チャネルとして、高速物理下り共用チャネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）、ＨＳ−ＤＳＣＨ関連共用制御チャネルＨＳ−ＳＣＣＨ（ＨＳ−ＤＳＣＨ−ｒｅｌａｔｅｄ  Ｓｈａｒｅｄ  Ｃｏｎｔｒｏｌ  Ｃｈａｎｎｅｌ）がある。【００１０】
ＨＳＤＰＡ方式の上りリンク物理チャネルとして、ＨＳ−ＤＳＣＨ関連上り個別物理制御チャンルＨＳ−ＤＰＣＣＨ（Ｄｅｄｉｃａｔｅｄ  Ｐｈｙｓｉｃａｌ  Ｃｏｎｔｒｏｌ  Ｃｈａｎｎｅｌ  ｆｏｒ  ＨＳ−ＤＳＣＨ）がある。【００１１】
ＨＳＤＰＡの下りリンクにおいて、高速物理下り共用チャネルＨＳ−ＰＤＳＣＨには、トランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれている。【００１２】
次に、Ｗ−ＣＤＭＡの主な物理チャネルとトランスポートチャネルの概要を簡単に説明する。
共通パイロットチャネルＣＰＩＣＨは、下りリンクの共通チャネルであり、各セルに１つ存在し、主に下りチャネルの伝搬路状況推定（チャネル推定、Ｃｈａｎｎｅｌ  Ｅｓｔｍｉｄａｔｉｏｎ）、移動局のセル選択（セルサーチ、Ｃｅｌｌ  Ｓｅａｒｃｈ）、同一セルの他の下り物理チャネルのタイミング基準などとして使用されている。
また同期チャネルＳＣＨは、下りリンクの共通チャネルであり、各セルに１つ存在し、移動局セルサーチ初期段階に使われている。【００１３】
ページングインジケーターチャネルＰＩＣＨは、下りリンクの共通チャネルであり、ページング信号がマッピングされる第二共通制御物理チャネルＳ−ＣＣＰＣＨに対応したトランスポートチャネルのページングチャネルＰＣＨ（Ｐａｇｉｎｇ  Ｃｈａｎｎｅｌ）と対で存在し、移動局の集まりである各着信群に対する音声呼（ＣＳ：Ｃｉｒｃｕｉｔ  Ｓｗｉｔｃｈ）またはパケット呼（ＰＳ：Ｐａｃｋｅｔ  Ｓｗｉｔｃｈ）着信情報の有無を送信する。着信群＃ｎ番に属する移動局は、ページングインジケーターチャネルＰＩＣＨにて着信群＃ｎ番に対する着信がありと通知された場合に、第二共通制御物理チャネルＳ−ＣＣＰＣＨにマッピングされた対応する無線フレーム内のページングチャネルＰＣＨを受信し、着信の有無を判断する。【００１４】
ページングインジケーターチャネルＰＩＣＨは、移動局のバッテリーセービングの向上のため、間欠受信ＩＲ（Ｉｎｔｅｒｍｉｔｔｅｎｔ  Ｒｅｃｅｐｔｉｏｎ）比率を低減することを目的として設定されたチャネルである。ページングインジケーターチャネルＰＩＣＨは移動局に対する着信の有無を通知するための、着信群＃ｎ番に属する移動局に対して短いページングインジケーターＰＩ（Ｐａｇｉｎｇ  Ｉｎｄｉｃａｔｏｒ）を送信しており、待受け（アイドルモード）中の移動局は通常このページングインジケーターＰＩのみを受信する。移動局は、ページングインジケーターＰＩにて着信があることを知らされた場合のみ、ページングインジケーターＰＩに対応するページングチャンルＰＣＨを受信する。【００１５】
ページングインジケーターＰＩは複数の着信群＃ｎ番に群分けされており、１つの着信群＃ｎ番あたりの着信頻度を極めて低くできるため、待受け（アイドルモード）中の移動局は短いページングインジケーターＰＩのみを受信すればよく、長い（情報量が多い）ページングチャネルＰＣＨのページング信号を受信する頻度を極めて低くできる。【００１６】
第一共通制御物理チャネルＰ−ＣＣＰＣＨは、下りリンクの共通チャネルであり、各セルに１つ存在し、トランスポートチャネルの報知チャネルＢＣＨ（Ｂｒｏａｄｃａｓｔ  Ｃｈａｎｎｅｌ）がマッピングされ、システム情報、セル情報など報知情報を送信する。【００１７】
第二共通制御物理チャネルＳ−ＣＣＰＣＨは、下りリンクの共通チャネルであり、各セルに複数存在が可能である。トランスポートチャネルである下りアクセスチャネルＦＡＣＨ（Ｆｏｒｗａｒｄ  Ａｃｃｅｓｓ  Ｃｈａｎｎｅｌ）とページングチャネルＰＣＨ（Ｐａｇｉｎｇ  Ｃｈａｎｎｅｌ）がマッピングされている。下りアクセスチャネルＦＡＣＨは、下りリンクの共通チャネルで、制御情報及びユーザデータの送信に使用する。ここで下りアクセスチャネルＦＡＣＨは、複数の移動局で共有して使用され、上位レイヤからの低レートのデータ送信などに使用されている。【００１８】
ページングチャネルＰＣＨは、下り共通チャネルであり、上記のように、ページングインジケーターチャネルＰＩＣＨと対で存在し、ページング信号の送信に使われる。ページング信号には移動局ＩＤ（ＵＥ  ｉｄｅｎｔｉｔｙ）、コアネットワークＩＤ（ＣＮ  ｉｄｅｎｔｉｔｙ）、ページングケース（Ｐａｇｉｎｇ  ｃａｕｓｅ）などメッセージが含まれている。【００１９】
下り／上り個別物理データチャネルＤＰＤＣＨ、下り／上り個別物理制御チャネルＤＰＣＣＨについては、下りリンクでは、下り個別物理データチャネルＤＰＤＣＨと下り個別物理制御チャネルＤＰＣＣＨはタイムスロット内時間多重され、上りリンクでは、上り個別物理データチャネルＤＰＤＣＨと上り個別物理制御チャネルＤＰＣＣＨがＩ相とＱ相にそれぞれマッピングされる。下り／上り個別物理データチャネルＤＰＤＣＨは、移動局に対して１つ以上割当てられ（拡散符号多重）、上位レイヤからのデータ送信のために使用する。下り／上り個別物理制御チャネルＤＰＣＣＨは、移動局に対して１つのみ割当てられ、物理レイヤ制御に使われる。【００２０】
捕獲インジケーターチャネルＡＩＣＨは、下りリンクの共通チャネルで、物理ランダムアクセスチャネルＰＲＡＣＨと対で存在する。物理ランダムアクセスチャネルＰＲＡＣＨのランダムアクセス制御に使用する。【００２１】
物理ランダムアクセスチャネルＰＲＡＣＨは、上りリンクの共通チャネルで、トランスポートチャネルであるランダムアクセスチャネルＲＡＣＨがマッピングされている。ランダムアクセスが適用され、発信時の制御情報送信に使われている。また、上位レイヤからのデータ送信（主に低いレート）のためにも使用される。【００２２】
次に、ＨＳＤＰＡ方式の主な物理チャネルとトランスポートチャネルの概要を簡単に説明する。
ＨＳＤＰＡ方式の高速物理下り共用チャネルＨＳ−ＰＤＳＣＨは、下りリンクの共用チャネルで、複数の移動局が共用し、各移動局にトランスポートチャネルの高速下り共用チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）が含まれる。このＨＳ―ＰＤＳＨは、上位レイヤから各移動局宛てのパケットデータの送信に使用される。【００２３】
ＨＳＤＰＡ方式のＨＳ−ＤＳＣＨ関連共用制御チャネルＨＳ−ＳＣＣＨは、下りリンクの共用チャネルで、複数の移動局が共用し、各移動局に高速下り共用チャネルＨＳ−ＤＳＣＨの復調に必要な情報（変調方式、拡散コード）、誤り訂正復号処理やハイブリッド自動再送ＨＡＲＱ（Ｈｙｂｒｉｄ  Ａｕｔｏｍａｔｉｃ  Ｒｅｐｅａｔ  ｒｅＱｕｅｓｔ）処理に必要な情報を送信する。【００２４】
ＨＳ−ＤＳＣＨ関連上り個別物理制御チャンルＨＳ−ＤＰＣＣＨは、上りリンクの個別制御チャネルで、下りリンク無線伝搬路状況を表す下りリンク品質情報ＣＱＩ（Ｃｈａｎｎｅｌ  Ｑｕａｌｉｔｙ  Ｉｎｄｉｃａｔｉｏｎ）と、ハイブリッド自動再送ＨＡＲＱに対応した受信確認情報であるＡＣＫ／ＮＡＣＫ（Ａｃｋｎｏｗｌｅｄｇｅｍｅｎｔ／Ｎｅｇａｔｉｖｅ  Ａｃｋｎｏｗｌｅｄｇｅｍｅｎｔｓ）の送信に使われている。【００２５】
一方、第三世代無線アクセスの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ、以下、ＥＵＴＲＡとする）及び第三世代無線アクセスネットワークの進化（Ｅｖｏｌｖｄｅ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ，以下、ＥＵＴＲＡＮとする）が検討されている。ＥＵＴＲＡの下りリンクとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が提案されている。ＥＵＴＲＡ技術として、ＯＦＤＭ方式にチャネル符号化等の適応無線リンク制御（リンクアダプテーション、Ｌｉｎｋ  Ａｄａｐｔｉｖｅｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ、以降ＡＭＣＳ方式と称する）といった技術が適用されている。【００２６】
ＡＭＣＳ方式とは、高速パケットデータ伝送を効率的に行うために、各移動局の伝搬路状況に応じて、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、及びマルチコード多重数などの無線伝送パラメーター（以下、ＡＭＣモードと称する）を切り替える方式である。例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。【００２７】
ＯＦＤＭ方式における下り物理チャネル、トランスポートチャネルの配置について、Ｓｐａｒｅｄ−ＯＦＤＭ方式（例えば、特許文献１参照）では、拡散符号多重により物理制御チャネルと物理データチャネルが同じ周波数帯域に多重する方法が提案されている。また、Ｎｏｎ  Ｓｐｒｅａｄ−ＯＦＤＭ方式（例えば、無線ＬＡＮ規格８０２.１６など）では、ＯＦＤＭの周波数軸（サブキャリア）と時間軸（ＯＦＤＭシンボル）のリソースを用いて、時間分割多重ＴＤＭ（Ｔｉｍｅ  Ｄｉｖｉｏｎ  Ｍｕｌｔｉｐｌｅｘｉｎｇ）、周波数分割多重ＦＤＭ（Ｆｒｅｑｕｅｎｃｙ  Ｄｉｖｉｏｎ  Ｍｕｌｔｉｐｌｅｘｉｎｇ）、またはＴＤＭ・ＦＤＭの組み合わせで時間・周波数に多重する方法が提案されている。【００２８】
また、ＥＵＴＲＡ／ＥＵＴＲＡＮの技術要求条件（例えば、非特許文献４参照）が提案され、既存の２Ｇ、３Ｇサービスとの融合、共存のため、スペクトル柔軟性（Ｓｐｅｃｔｒｕｍ  Ｆｌｅｘｉｂｉｌｉｔｙ）が要求され、異なるサイズのスペクトル（周波数帯域幅、例えば、１.２５ＭＨｚ、２.５ＭＨｚ、５ＭＨｚ、１０ＭＨｚ、２０ＭＨｚ）に対する周波数割り当てのサポート（Ｓｕｐｐｏｒｔ  ｆｏｒ  ｓｐｅｃｔｒｕｍ  ａｌｌｏｃａｔｉｏｎｓ  ｏｆ  ｄｉｆｆｅｒｅｎｔ  ｓｉｚｅ）が要求されている。【００２９】
また、ＥＵＴＲＡの技術資料（非特許文献５参照）が提案され、異なる周波数帯域幅の送受信能力を持つ移動局に対する使用すべき周波数帯域位置指定（中心周波数シフト）の方法が示されている。図３７を参照しながら説明する。基地局が固有の最大周波数帯域幅、例えば２０ＭＨｚの周波数帯域幅をサポートし、また移動局が固有の最大周波数帯域幅、例えば５ＭＨｚの帯域幅をサポートしている場合、移動局は、まず下りリンク同期チャネルＤＳＮＣＨ及び下りリンクパイロットチャネルＤＰＣＨを使ってセルサーチを行なう。以降、異なる周波数帯域幅、例えばＢｎ（Ｂｎ＝１．２５，２．５，５，１０，１５，２０ＭＨｚ）周波数帯域幅の送受信能力を持つ移動局のグループをＢｎ移動局クラス、Ｂｎ周波数帯域幅の送受信能力を持つ移動局をＢｎ移動局クラスの移動局、Ｂｎ移動局クラスにより定義された移動局の送受信周波数帯域幅Ｂｎを移動局の固有周波数帯域幅Ｂｎと定義する。【００３０】
具体的には移動局は、２０ＭＨｚ帯域幅の中心５ＭＨｚで下りリンク同期チャネルＤＳＮＣＨを検出し、次に下りリンク共通制御チャネルＤＣＣＣＨを受信する。下りリンク共通制御チャネルＤＣＣＣＨには、異なる移動局クラスの移動局それぞれが使用すべき周波数帯域位置を指定するための伝送バンド幅情報と周波数シフト情報が含まれている。次に移動局は、その制御情報に従って使用周波数帯域位置へ移動し、データの転送を開始する。下りリンクチャネルＤＳＮＣＨ，ＤＣＣＣＨについては後で記述する。【００３１】
上述したように、３ＧＰＰ（３ｒｄ  Ｇｅｎｅｒａｔｉｏｎ  Ｐａｒｔｎｅｒｓｈｉｐ  Ｐｒｏｊｅｃｔ）では、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式が第三世代セルラー移動通信方式として標準化され、順次サービスが開始されている（例えば、非特許文献１参照）。
従来のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＷ−ＣＤＭＡなどの移動通信システムでは、加入者識別子ＩＭＳＩ（Ｉｎｔｅｒａｎａｔｉｏｎａｌ  Ｍｏｂｉｌｅ  Ｓｕｂｓｃｒｉｂｅｒ  Ｉｄｅｎｔｉｔｙ）を用いた移動管理が行われている。Ｗ−ＣＤＭＡ方式のコアネットワークは、ＧＳＭのコアネットワークをベースに構成されている。図３８を参照して、Ｗ−ＣＤＭＡ方式の移動管理方法を説明する。【００３２】
ＲＮＣ（Ｒａｄｉｏ  Ｎｅｔｗｏｒｋ  Ｃｏｎｔｒｏｌｌｅｒ）（５０）は、無線制御装置であり、無線リソースの管理やＮｏｄｅＢ（１０）の制御を行う制御装置である。ＲＮＣ（５０）は、例えばハンドオーバーの制御などを行なう。
またＮｏｄｅＢ（１０）は、無線送受信を行なう論理的なノードを意味し、具体的には、無線基地局装置である。ＮｏｄｅＢ（１０）は、移動局装置２０と無線インタフェースを介して接続される。
ＳＧＳＮ（Ｓｅｒｖｉｎｇ  ＧＰＲＳ  Ｓｕｐｐｏｒｔ  Ｎｏｄｅ）（３０）は、コアネットワークのパケット交換サービスの制御ノードであり、在圏する移動加入者の加入者情報を管理するＶＬＲ（Ｖｉｓｉｔｏｒ  Ｌｏｃａｔｉｏｎ  Ｒｅｇｉｓｔｅｒ）（３１）を備えている。【００３３】
アタッチは、主に移動局２０の電源投入時に行なわれる。端末の着信可否を管理するための手順において、アタッチ状態は着信可能、デタッチ状態では着信が不可能である。
また位置登録は、移動局が位置登録エリア４０を移動した場合に行なわれ、手順中に図示しないＨＬＲ（Ｈｏｍｅ  Ｌｏｃａｔｉｏｎ  Ｒｅｇｉｓｔｅｒ）から在圏ＶＬＲ（３１）への加入者情報のダウンロードが行なわれる。【００３４】
上記のアタッチと位置登録処理は同時に行なうことが可能である。移動局２０は、報知情報により位置登録エリア４０の変更を検出すると、加入者識別子ＩＭＳＩを含む位置登録要求を、ＮｏｄｅＢ（１０）及びＲＮＣ（５０）を介してＳＧＳＮ（３０）のＶＬＲ（３１）に要求する。ＶＬＲ（３１）は、ＨＬＲから加入者情報をダウンロードし、一時的な加入者識別子としてＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）を割り当て、移動局２０へ位置登録の応答メッセージを送信する。【００３５】
無線区間にてユーザの識別用にＴＭＳＩを使用することにより、ＩＭＳＩを使用した場合に比べＩＭＳＩを隠蔽することによるセキュリティの向上が可能となり、かつＩＭＳＩに比べて情報量が１／２程度であるＴＭＳＩを使用することにより、無線区間における情報量を削減することが可能となる。【００３６】
次に図３９を参照してページングの処理手順について説明する。移動通信では、移動局２０に対して着信があった場合、その旨を移動局２０に通知する必要がある。ネットワークは、移動局２０の位置情報を位置登録エリア４０で管理しており、移動局２０が位置登録している位置登録エリア４０内の全移動局に対して、着信があったことを同報的に通知する。この手順をページングと呼ぶ。【００３７】
ページングは、在圏ＶＬＲ（３１）に登録された位置登録エリア４０を収容するすべてのＲＮＣ（５０）に対して、ＶＬＲ（３１）からページング要求信号を送出することにより行なわれる。このときの加入者識別子としてＴＭＳＩを使用すると、前述したように、ＩＭＳＩを使用する場合に比べてセキュリティと信号量の点で有利である。
移動局２０は、アイドルモード（待ち受け状態）の場合には、呼び出し用のチャネルを常に監視しているため、自局に対するページングを認識することが可能である。移動局２０は、ページング要求に含まれる位置登録エリア、ＴＭＳＩ（ＩＭＳＩ）と自分の記憶する位置登録エリア、ＴＭＳＩ（ＩＭＳＩ）が一致した場合にネットワークに応答を返す。【００３８】
次に、Ｗ−ＣＤＭＡの主な物理チャネルとトランスポートチャネルの概要を簡単に説明する。
ページングインジケーターチャネルＰＩＣＨは、下りリンクの共通チャネルであり、ページング信号がマッピングされる第二共通制御物理チャネルＳ−ＣＣＰＣＨに対応したトランスポートチャネルのページングチャネルＰＣＨ（Ｐａｇｉｎｇ  Ｃｈａｎｎｅｌ）と対で存在している。このＰＩＣＨは、移動局の集まりである各着信群に対する音声呼（ＣＳ：Ｃｉｒｃｕｉｔ  Ｓｗｉｔｃｈ）またはパケット呼（ＰＳ：Ｐａｃｋｅｔ  Ｓｗｉｔｃｈ）着信情報の有無を送信する。【００３９】
着信群＃ｎ番に属する移動局は、ページングインジケーターチャネルＰＩＣＨにて着信群＃ｎ番に対する着信がありと通知された場合に、第二共通制御物理チャネルＳ−ＣＣＰＣＨにマッピングされた対応する無線フレーム内のページングチャネルＰＣＨを受信し、自局への着信の有無を判断する。【００４０】
ページングインジケーターチャネルＰＩＣＨは、移動局のバッテリーセービングの向上のため、間欠受信ＩＲ（Ｉｎｔｅｒｍｉｔｔｅｎｔ  Ｒｅｃｅｐｔｉｏｎ）比率を低減することを目的として設定されたチャネルである。このページングインジケーターチャネルＰＩＣＨは、移動局に対する着信の有無を通知するための、着信群＃ｎ番に属する移動局に対して短いページングインジケーターＰＩ（Ｐａｇｉｎｇ  Ｉｎｄｉｃａｔｏｒ）を送信しており、待受け（アイドルモード）中の移動局は通常このページングインジケーターＰＩのみを受信する。移動局は、ページングインジケーターＰＩにて着信があることを知らされた場合のみ、ページングインジケーターＰＩに対応するページングチャンルＰＣＨを受信する。【００４１】
ページングインジケーターＰＩは、複数の着信群＃ｎ番に群分けされており、１つの着信群＃ｎ番あたりの着信頻度を極めて低くできる。このため、待受け（アイドルモード）中の移動局は、短いページングインジケーターＰＩのみを受信すればよく、長い（情報量が多い）ページングチャネルＰＣＨのページング信号を受信する頻度を極めて低くすることができる。
【特許文献１】特開２００１−２３７８０３号公報
【特許文献２】特開２００４−２９７７５６号公報
【非特許文献１】３ＧＰＰ  ＴＳ  ２５.２１１、Ｖ６.４.０（２００５−０３）、Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ.ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ
【非特許文献２】立川  敬二、“Ｗ−ＣＤＭＡ移動通信方式”、ＩＳＢＮ４−６２１−０４８９４−５、Ｐ１０３、Ｐ１１５など
【非特許文献３】３ＧＰＰ  ＴＲ（Ｔｅｃｈｎｉｃａｌ  Ｒｅｐｏｒｔ）２５.８５８、及び３ＧＰＰのＨＳＤＰＡ仕様関連資料.ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ
【非特許文献４】３ＧＰＰ  ＴＲ（Ｔｅｃｈｎｉｃａｌ  Ｒｅｐｏｒｔ）２５.９１３、Ｖ２.１.０（２００５−０５）、Ｒｅｑｕｉｒｅｍｅｎｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）.ｈｔｔｐ：／／ｗｗｗ.３ｇｐｐ.ｏｒｇ／ｆｔｐ／Ｓｐｅｃｓ／ｈｔｍｌ−ｉｎｆｏ／２５９１３.ｈｔｍ
【非特許文献５】３ＧＰＰ  Ｒ１−０５０５９２  ＮＴＴ ＤｏＣｏＭｏ  “Ｐｈｙｓｉｃａｌ  Ｃｈａｎｎｅｌ  Ｃｏｎｃｅｐｔ  ｆｏｒ  Ｓｃａｌａｂｌｅ  Ｂａｎｄｗｉｄｔｈ  ｉｎ  Ｅｖｏｌｖｅｄ  ＵＴＲＡ  Ｄｏｗｎｌｉｎｋ”.
【発明の開示】
【発明が解決しようとする課題】
【００４２】
しかしながら上記特許文献には、異なる移動局クラスの移動局が使用すべき周波数帯域位置を指定するための伝送バンド幅情報と周波数シフト情報の内容について具体的な案は提示されていない。
一般的に、下り・上りリンク制御チャネルを通じて基地局と移動局との間で制御情報のやり取りを行い、特定の移動局に対してアイドルモード及びアクティブモード時の使用周波数帯域位置を指定する制御情報を送信することが考えられる。このとき使用周波数帯域位置のシフトをする以前に制御情報のやり取りをする場合には、基地局の固有周波数帯域幅の中心周波数帯域、例えば２０ＭＨｚ周波数帯域幅の中心の５ＭＨｚ周波数帯域における通信が非常に混雑してしまう。また、基地局と移動局との間で制御情報のやり取りを行うため、無線リソースが使用され、システム全体の周波数利用効率の低下に繋がる。さらに特定の移動局に対して使用周波数帯域位置の管理、記憶、一部周波数帯域での通信混雑の回避など煩雑な基地局制御が必要である。
【課題を解決するための手段】
【００４９】
上記課題を解決するために、第１の技術手段は、一つのスロット内に共用制御シグナリングチャネルおよび共用制御シグナリングチャネルで指定するパケットを配置する共用データチャネルを構成する移動通信システムに使用される通信方法であって、基地局は、前記移動局へのページング情報が前記共用データチャネルに含まれることを示す信号を、前記移動局の識別情報から特定されるスロットの先頭部分に配置された前記共用制御シグナリングチャネルで送信し、アイドルモードの移動局は、間欠的に前記移動局へのページング情報が前記共用データチャネルに含まれることを示す信号を受信する、ことを特徴としたものである。
【００５０】
第２の技術手段は、第１の技術手段において、前記スロットは、（該移動局の識別情報／ページンググループ数）をページングスロット数で割った余りで指定されることを特徴としたものである。
【００５１】
第３の技術手段は、第１の技術手段において、移動局の識別情報は、ＩＭＳＩであることを特徴としたものである。
【００５２】
第４の技術手段は、一つのスロット内に共用制御シグナリングチャネルおよび共用制御シグナリングチャネルで指定するパケットを配置する共用データチャネルを構成する移動通信システムに使用される移動局であって、移動局は、基地局からの、移動局へのページング情報が共用データチャネルに含まれることを示す信号を、移動局の識別情報から特定されるスロットの先頭部分に配置された共用制御シグナリングチャネルで受信し、アイドルモード時には、間欠的に移動局へのページング情報が共用データチャネルに含まれることを示す信号を受信する、ことを特徴としたものである。
【００５３】
第５の技術手段は、第４の技術手段において、前記スロットは、（該移動局の識別情報／ページンググループ数）をページングスロット数で割った余りで指定されることを特徴としたものである。
【００５４】
第６の技術手段は、第４の技術手段において、移動局の識別情報は、ＩＭＳＩであることを特徴としたものである。
【００５５】
第７の技術手段は、一つのスロット内に共用制御シグナリングチャネルおよび共用制御シグナリングチャネルで指定するパケットを配置する共用データチャネルを構成する移動通信システムに使用される基地局であって、基地局は、移動局へのページング情報が共用データチャネルに含まれることを示す信号を、移動局の識別情報から特定されるスロットの先頭部分に配置された共用制御シグナリングチャネルを含んだ信号を送信する、ことを特徴としたものである。
【００５６】
第８の技術手段は、第７の技術手段において、前記スロットは、（該移動局の識別情報／ページンググループ数）をページングスロット数で割った余りで指定されることを特徴としたものである。
【００５７】
第９の技術手段は、第７の技術手段において、移動局の識別情報は、ＩＭＳＩであることを特徴としたものである。
【発明の効果】
【０１０９】
本発明によれば、異なる移動局クラスの移動局に適応した使用周波数帯域位置の指定により無線リソースを効率的に使用し、通信システム全体の周波数利用効率を向上させるとともに、特定の移動局に対する使用周波数帯域位置指定の基地局制御を効率的に実行できるようにした移動通信システムに使用される通信方法、移動局、及び基地局を提供することができる。
特に異なる周波数帯域幅（例えば、１.２５ＭＨｚ，２.５ＭＨｚ，５ＭＨｚ，１０ＭＨｚ，２０ＭＨｚ）に適応した移動局の使用周波数帯域位置の指定を行なう移動局のグルーピング、特にＥＵＴＲＡ／ＥＵＴＲＡＮが要求されているＡＩＰＮ（ＡＬＬ  Ｉｎｔｅｒｎｅｔ  Ｐｒｏｔｏｃｏｌ  Ｎｅｔｗｏｒｋ）に対応するパケット呼の有無を示すパケットインジケーターＰＩ（Ｐａｃｋｅｔ  Ｉｎｄｉｃａｔｏｒ）情報のグルーピング処理に関わる有効な手段が提供される。
【０１１０】
さらに本発明によれば、異なる周波数帯域幅能力（例えば、１.２５ＭＨｚ、２.５ＭＨｚ、５ＭＨｚ、１０ＭＨｚ、２０ＭＨｚ）を持つ移動局を収容する移動通信システムに使用される通信方法、移動局、及び基地局を提供することができる。
【図面の簡単な説明】
【０１１１】
【図１】ＥＵＴＲＡのチャネル構成例を説明するための図である。
【図２】３ＧＰＰの提案をベースに想定されているＥＵＴＲＡとＷ−ＣＤＭＡ／ＨＳＤＰＡ方式の上り・下りリンクチャネルの対応関係を示す図である。
【図３】３ＧＰＰの提案をベースに想定されている移動局の状態遷移を示す図である。
【図４】ＥＵＴＲＡについて３ＧＰＰの提案をベースに想定されている下りリンク無線フレームの構成例を示す図である。
【図５】移動局がアイドルモードのときの間欠受信動作を概念的に示す図である。
【図６】ＥＵＴＲＡについて３ＧＰＰの提案をベースに想定されている下りリンク無線フレームの他の構成例を示す図である。
【図７】本発明と関連する基地局の構成例を示す図である。
【図８】本発明と関連する移動局の構成例を示す図である。
【図９】本発明の第１の実施形態を説明するための図である。
【図１０】ＴＴＩごとのパケットインジケーターの配置について説明するための図である。
【図１１】基地局の固有周波数帯域幅１５ＭＨｚ，１０ＭＨｚ，５ＭＨｚ，２.５ＭＨｚの場合において、異なる移動局クラスの移動局に対する使用周波数帯域の候補に番号付けを行なった様子を示す図である。
【図１２】使用周波数帯域位置、ＩＭグループ、及びＰＩグループの算出方法を説明するための図である。
【図１３】使用周波数帯域位置、ＩＭグループ、及びＰＩグループの算出方法を説明するための他の図である。
【図１４】使用周波数帯域位置、ＩＭグループ、及びＰＩグループの算出方法を説明するための更に他の図である。
【図１５】使用周波数帯域をオーバーラップした形で構成した例を示す図である。
【図１６】移動局の電源投入からアイドルモードへ遷移するまでの処理を説明するためのフローチャートである。
【図１７】移動局の電源投入からアイドルモードへ遷移するまでの処理を説明するための図である。
【図１８】下りリンク無線フレームの構成例を説明するための図である。
【図１９】下りリンク無線フレームの他の構成例を説明するための図である。
【図２０】下りリンク無線フレームの更に他の構成例を説明するための図である。
【図２１】下りリンク無線フレームの更に他の構成例を説明するための図である。
【図２２】アイドルモード時の処理を説明するためのフローチャートである。
【図２３】アイドルモード時の処理を説明するための図である。
【図２４】パケット着信の制御処理を説明するためのフローチャートである。
【図２５】パケット着信の制御処理を説明するための図である。
【図２６】パケット発信時の制御処理を説明するためのフローチャートである。
【図２７】パケット発信時の制御処理を説明するための図である。
【図２８】本発明の下りリンク無線フレームの更に他の構成例をそれぞれ示す図である。
【図２９】本発明の下りリンク無線フレームの更に他の構成例をそれぞれ示す図である。
【図３０】本発明の下りリンク無線フレームの更に他の構成例をそれぞれ示す図である。
【図３１】基地局及び移動局及び位置管理装置の構成例をそれぞれ示す図である。
【図３２】本発明の一実施形態を説明するための図である。
【図３３】本発明の一実施形態を説明するための他の図である。
【図３４】位置登録時及びページング時に使用される移動局の使用周波数帯域位置を特定する番号付けの方法を説明するための図である。
【図３５】本発明に関わる位置登録の手順の一例を説明するための図である。
【図３６】本発明に関わるページングの手順の一例を説明するための図である。
【図３７】従来の使用周波数帯域位置の指定方法の一例を説明するための図である。
【図３８】Ｗ−ＣＤＭＡ方式の移動管理方法を説明するための図である。
【図３９】ページングの処理手順の一例について説明するための図である。
【符号の説明】
【０１１２】
１０…ＮｏｄｅＢ、２０…移動局、３０…ＳＧＳＮ、３１…ＶＬＲ、４０…位置登録エリア、５０…ＲＮＣ、１００…基地局、１０１…アンテナ部、１０２…無線部、１０３…復調部、１０４…リンクチャネル推定部、１０５…制御データ抽出部、１０６…チャネルデコーディング部、１０７…チャネルコーディング部、１０８…制御データ挿入部、１０９…ＯＦＤＭ変調部、１１０…スケジューリング部、１１１…アンテナ部、１１２…無線部、１１３…制御部、１１４…通信ＩＦ、２００…移動局、２０１…アンテナ部、２０２…無線部、２０３…ＯＦＤＭ復調部、２０４…リンクチャネル推定部、２０５…制御データ抽出部、２０６…チャネルデコーディング部、２０７…チャネルコーディング部、２０８…制御データ挿入部、２０９…変調部、２１０…制御部、２１１…アンテナ部、２１２…無線部、２１３…制御部、３００…位置管理装置、３０１…位置管理データベース、３０２…制御部、３０３…通信ＩＦ、４００…位置登録エリア。
【発明を実施するための最良の形態】
【０１１３】
図１は、ＥＵＴＲＡのチャネル構成例を説明するための図で、ＥＵＴＲＡについて３ＧＰＰの提案をベースに想定されている上り・下りリンクのチャネル構成例を示すものである。ＥＵＴＲＡの下りリンク物理チャネルとして、下りリンクパイロットチャネルＤＰＣＨ（Ｄｏｗｎｌｉｎｋ  Ｐｉｌｏｔ  Ｃｈａｎｎｅｌ）、下りリンク同期チャネルＤＳＮＣＨ（Ｄｏｗｎｌｉｎｋ  Ｓｙｎｃｈｒｏｎｉｚａｔｉｏｎ  Ｃｈａｎｎｅｌ）、下りリンク共通制御チャネルＤＣＣＣＨ（Ｄｏｗｎｌｉｎｋ  Ｃｏｍｍｏｎ  Ｃｏｎｔｒｏｌ  Ｃｈａｎｎｅｌ）、下りリンクスケジューリングチャネルＤＳＣＨ（Ｄｏｗｎｌｉｎｋ  Ｓｃｈｅｄｕｌｉｎｇ  Ｃｈａｎｎｅｌ）により構成されている。下りリンクスケジューリングチャネルＤＳＣＨには、下りリンク共用制御シグナリングチャネルＤＳＣＳＣＨ（Ｄｏｗｎｌｉｎｋ  Ｓｈａｒｅｄ  Ｃｏｎｔｒｏｌ  Ｓｉｇｎａｌｉｎｇ  Ｃｈａｎｎｅｌ）、下りリンク共用データチャネルＤＳＤＣＨ（Ｄｏｗｎｌｉｎｋ  Ｓｈａｒｅｄ  Ｄａｔａ  Ｃｈａｎｎｅｌ）が含まれている。【０１１４】
またＥＵＴＲＡの上りリンク物理チャネルとして、上りリンクコンテンションベースチャネルＵＣＢＣＨ（Ｕｐｌｉｎｋ  Ｃｏｎｔｅｎｔｉｏｎ−ｂａｓｅｄ  Ｃｈａｎｎｅｌ）、上りリンクスケジューリングチャネルＵＳＣＨ（Ｕｐｌｉｎｋ  Ｓｃｈｅｄｕｌｉｎｇ  Ｃｈａｎｎｅｌ）により構成されている。【０１１５】
次に、ＥＵＴＲＡの下りリンクチャネル及び上りリンクチャネルの概要を簡単に説明する。図２は、３ＧＰＰの提案をベースに想定されているＥＵＴＲＡとＷ−ＣＤＭＡ／ＨＳＤＰＡ方式の上り・下りリンクチャネルの対応関係を示す図である。
ＥＵＴＲＡの下りリンクにおいて、下りリンクパイロットチャネルＤＰＣＨは、下りリンク共通パイロットチャネルＤＣＰＣＨ（Ｄｏｗｎｌｉｎｋ  Ｃｏｍｍｏｎ  Ｐｉｌｏｔ  Ｃｈａｎｎｅｌ）と下りリンク個別パイロットチャネルＤＤＰＣＨ（Ｄｏｗｎｌｉｎｋ  Ｄｅｄｉｃａｔｅｄ  Ｐｉｌｏｔ  Ｃｈａｎｎｅｌ）が含まれている。【０１１６】
下りリンク共通パイロットチャネルＤＣＰＣＨはＷ−ＣＤＭＡ方式のパイロットチャネルＣＰＩＣＨに相当し、ＡＭＣＳ方式における下りリンク伝搬路状況の推定、及びセルサーチ、上り送信電力制御の伝搬路ロス測定に使用されている。下りリンク個別パイロットチャネルＤＤＰＣＨは、アダブティブアレーアンテナなどセル共用アンテナと異なる伝搬路（指向性）を有するアンテナから個別移動局に送信され、または受信品質の低い移動局に対して、下りリンク共通パイロットチャネルＤＣＰＣＨの補強の目的で使用することもできる。【０１１７】
下りリンク同期チャネルＤＳＮＣＨは、Ｗ−ＣＤＭＡ方式の同期チャネルＳＣＨに相当し、移動局のセルサーチ、ＯＦＤＭ信号の無線フレーム、タイムスロット、送信タイミング間隔ＴＴＩ（Ｔｒａｓｍｉｓｓｉｏｎ  Ｔｉｍｉｎｇ  Ｉｎｔｅｒｖａｌ）、ＯＦＤＭシンボルタイミング同期に使用されている。
下りリンク共通制御チャネルＤＣＣＣＨは、Ｗ−ＣＤＭＡ方式の第一共通制御物理チャネルＰ−ＣＣＰＣＨ、及びページングインジケーターチャネルＰＩＣＨに相当する報知情報（報知チャネルＢＣＨ相当）、パケット呼の有無を指すパケットインジケーターＰＩ情報（ページングインジケーターチャネルＰＩＣＨ相当）などの共通制御情報が含まれている。【０１１８】
下りリンクスケジューリングチャネルＤＳＣＨは、下りリンク共用制御シグナリングチャネルＤＳＣＳＣＨ（Ｄｏｗｎｌｉｎｋ  Ｓｈａｒｅｄ  Ｃｏｎｔｒｏｌ  Ｓｉｇｎａｌｉｎｇ  Ｃｈａｎｎｅｌ）、及び下りリンク共用データチャネルＤＳＤＣＨ（Ｄｏｗｎｌｉｎｋ  Ｓｈａｒｅｄ  Ｄａｔａ  Ｃｈａｎｎｅｌ）により構成されている。【０１１９】
下りリンク共用制御シグナリングチャネルＤＳＣＳＣＨは、ＨＳＤＰＡ方式の高速物理下り共用チャネルＨＳ−ＰＤＳＣＨに含まれるＨＳ−ＤＳＣＨ関連共用制御チャネルＨＳ−ＳＣＣＨ、下り個別制御チャネルＤＰＣＣＨ、捕獲インジケーターチャネルＡＩＣＨに相当し、複数の移動局が共用し、各移動局に高速下り共用チャネルＨＳ−ＤＳＣＨの復調に必要な情報（変調方式、拡散符号など）、誤り訂正復号処理やＨＡＲＱ処理に必要な情報、及び無線リソース（周波数、時間）のスケジューリング情報などの送信に使用されている。また、Ｗ−ＣＤＭＡ方式の第二共通制御物理チャネルに含まれるページングチャネルＰＣＨに相当するパケットページング情報、下りアクセス情報、の一部も下りリンク共用制御シグナリングチャネルＤＳＣＳＣＨとして送信される。【０１２０】
下りリンク共用データチャネルＤＳＤＣＨは、ＨＳＤＰＡ方式の高速物理下り共用チャネルＨＳ−ＰＤＳＣＨに含まれる高速下り共用チャネルＨＳ−ＤＳＣＨ、下り個別データチャネルＤＰＤＣＨに相当し、上位レイヤから移動局宛てのパケットデータの送信に使用されている。また、Ｗ−ＣＤＭＡ方式の第二共通制御物理チャネルに含まれるページングチャネルＰＣＨに相当するパケットページング情報、下りアクセス情報、の一部も下りリンク共用データチャネルＤＳＤＣＨのデータとして送信される。【０１２１】
また、上りリンクにおいて、上りリンクコンテンションベースチャネルＵＣＢＣＨには、ファーストアクセスチャネルＦＡＣＨ（Ｆａｓｔ  Ａｃｃｅｓｓ  Ｃｈａｎｎｅｌ）、予約チャネルＲＣＨ（Ｒｅｓｅｒｖａｔｉｏｎ  Ｃｈａｎｎｅｌ）及び上りリンク同期チャネルＵＳＮＣＨ（Ｕｐｌｉｎｋ  Ｓｙｎｃｈｒｏｎｉｚａｔｉｏｎ  Ｃｈａｎｎｅｌ）が含まれている。Ｗ−ＣＤＭＡ方式のランダムアクセスチャネルＲＡＣＨ（Ｒａｄｏｍ  Ａｃｃｅｓｓ  Ｃｈａｎｎｅｌ）に相当する。【０１２２】
上りリンクスケジューリングチャネルＵＳＣＨは、上りリンク共用データチャネルＵＳＤＣＨ（Ｕｐｌｉｎｋ  Ｓｈａｒｅｄ  Ｄａｔａ  Ｃｈａｎｎｅｌ）及び上りリンク共用制御シグナリングチャネルＵＳＣＳＣＨ（Ｕｐｌｉｎｋ  Ｓｈａｒｅｄ  Ｃｏｎｔｒｏｌ  Ｓｉｇｎａｌｉｎｇ  Ｃｈａｎｎｅｌ）により構成されている。上りリンク共用データチャネルＵＳＤＣＨは、Ｗ−ＣＤＭＡ方式の上り個別制御チャネルＤＰＤＣＨに相当し、各移動局が共用で、各移動局のパケットデータ送信に使われている。上りリンク共用制御シグナリングチャネルＵＳＣＳＣＨは、ＨＳＤＰＡ方式のＨＳ−ＤＳＣＨ関連上り個別物理制御チャンルＨＳ−ＤＰＣＣＨ、個別制御チャネル  ＤＰＤＣＨに相当し、各移動局が共用で、各移動局の下りチャネル伝搬路品質情報ＣＱＩ（Ｃｈａｎｎｅｌ  Ｑｕｌｉｔｙ  Ｉｎｄｅｃａｔｏｒ）、ＨＡＲＱなどのフィードバック情報、上りパイロット、上りリンクチャネル制御情報などの伝送に使用する。【０１２３】
ＥＵＴＲＡについて、３ＧＰＰの提案をベースに想定されている移動局のパケット呼の発着信の流れについて説明する。
まず、図３により３ＧＰＰの提案をベースに想定されている移動局の状態遷移を示す。移動局では、電源投入後（１０）、公衆移動通信ＰＬＭＮ（Ｐｕｂｌｉｃ  Ｌａｎｄ  Ｍｏｂｉｌｅ  Ｎｅｔｗｏｒｋ）の選択／再選択、セル選択が行われる（１１）。そして移動局ではさらに位置登録更新及び報知情報が受信され（１２）、待受け状態であるアイドルモード（Ｉｄｌｅ  Ｍｏｄｅ）（１３）に遷移する。アイドルモードでは、セル選択／再選択が行われる。【０１２４】
そして基地局から移動局に対するパケット着信（１７）がある場合は、移動局では、パケット呼の有無を指すパケットページングインジケーターＰＩ情報及びパケット呼に対応するパケットページング情報を受信し、パケット通信処理手順を経て、パケット通信中であるアクティブモード（１５）に遷移し、パケットデータの送受信を行う。移動局または基地局に設けられたタイマ（例えば，Ｔｉｎａｃｔの時間間隔）を超えて，パケットデータの送受信がない場合，アイドルモード（またはインアクティブモードと称する）（１３）に戻る。アクティブモード（１５）でもセル選択／再選択が行われる。
そしてユーザからパケット発信（１４）がある場合、下りアクセス情報（下りアクセスチャネルＦＡＣＨ相当）の受信、及び上りアクセス情報（ランダムアクセスチャネルＲＡＣＨ相当）の送信、パケット通信処理手順を経て、パケット通信中（１５）に遷移する。【０１２５】
図４は、ＥＵＴＲＡについて３ＧＰＰの提案をベースに想定されている下りリンク無線フレームの構成例を示す図である。下りリンク無線フレームは、周波数軸の複数サブキャリアのかたまりであるＣｈｕｎｋと時間軸の送信タイム間隔ＴＴＩによる２次元で構成されている。Ｃｈｕｎｋは幾つかのサブキャリア（Ｓｕｂ−ｃａｒｒｉｅｒ）のかたまりにより構成される。例えば、周波数軸では、下りリンクの全体のスペクトル（下りリンク周波数帯域幅）Ｂ５を２０ＭＨｚ、Ｃｈｕｎｋの周波数帯域幅Ｂｃｈを１.２５ＭＨｚ、サブキャリア周波数帯域幅Ｂｓｃを１２.５ｋＨｚとする場合、下りリンクでは、１６個Ｃｈｕｎｋ、１つのＣｈｕｎｋに１００本サブキャリア、全体で１６００本サブキャリアが含まれる。また、時間軸では、１つの無線フレームを１０ｍｓ、ＴＴＩを０.５ｍｓとする場合、２０個のＴＴＩが含まれる。【０１２６】
つまり上記の例では、１つの無線フレームに１６個のＣｈｕｎｋと、２０個のＴＴＩとが含まれ、１つのＴＴＩには複数のＯＦＤＭシンボル長（Ｔｓ）が含まれている。従ってこの例では、移動局が使用可能の最小の無線リソース単位は、１つのＣｈｕｎｋ（１００本サブキャリア）と１つのＴＴＩ（０.５ｍｓ）により構成されている。また１つのＣｈｕｎｋの無線リソースをさらに細かく分割してもよい。ＴＴＩは０.６７ｍｓ、０.６２５ｍｓなどを使用してもよい。【０１２７】
図４に示したように、下りリンク共通パイロットチャネルＤＣＰＣＨは、各ＴＴＩの先頭にマッピングされ、下りリンク個別パイロットチャネルＤＤＰＣＨは、基地局のアンテナ使用状況、または移動局の伝搬路状況に応じて、１つのＴＴＩの適当な位置にマッピングされる（例えば、ＴＴＩの中心部にマッピングされる）。【０１２８】
また下りリンク共通制御チャネルＤＣＣＣＨと下りリンク同期チャネルＤＳＮＣＨは、無線フレームの先頭のＴＴＩにマッピングされている。これらを無線フレーム先頭のＴＴＩにマッピングすることにより、移動局がアイドルモードの場合、無線フレーム先頭ＴＴＩだけ、あるいは無線フレーム先頭ＴＴＩ内の数ＯＦＤＭシンボル長（Ｔｓ）を移動局で受信すれば、セルサーチ、タイミング同期、報知情報及びパケットページング情報など共通制御情報を受信することが可能である。【０１２９】
移動局は、アイドルモードの場合、間欠受信で動作している。
図５は、移動局がアイドルモードのときの間欠受信動作を概念的に示す図である。ここでは、上記図４の３ＧＰＰの提案をベースに想定されている下りリンク無線フレームの構成と同じ図を図５（Ａ）に示し、図５（Ａ）に合わせた間欠受信動作のイメージを図５（Ｂ）に示している。【０１３０】
図５に示すように、移動局がアイドルモードのときの間欠動作としては、例えば、間欠動作１と間欠動作２が挙げられる。
間欠動作１は、フレーム先頭のＴＴＩ１期間を受信部オンし、他の期間を受信オフする間欠受信方法である。また間欠動作２は、フレーム先頭のＴＴＩ１の下りリンク共通パイロットチャネルＤＣＰＣＨ、下りリンク共通制御チャネルＤＣＣＣＨ、下りリンク共用シグナリングチャネルＤＳＣＳＣＨ、下りリンク同期チャネルＤＳＮＣＨの期間（数ＯＦＤＭシンボルＴｓ）を受信部オンし、他の期間を受信オフする間欠受信方法である。図５では、フレーム先頭毎にＴＴＩ１期間を受信部オンする一例を示したが，複数フレーム間隔毎に受信部オンすることもよい。【０１３１】
下りリンク共用制御シグナリングチャネルＤＳＣＳＣＨは、下りリンク共通パイロットＣＰＩＣＨと同様に各ＴＴＩの先頭部にマッピングしている。移動局がパケット通信中でも各ＴＴＩに自局宛てのパケットデータがない場合、下りリンク共用制御シグナリングチャネルＤＳＣＳＣＨだけを受信する間欠受信が可能である。【０１３２】
また図４では、下りリンクパイロットチャネルＤＰＣＨ（下りリンク共通パイロットチャネルＤＣＰＣＨと下りリンク個別パイロットチャネルＤＤＰＣＨ）、下りリンク共通制御チャネルＤＣＣＣＨ、下りリンク共用制御シグナリングチャネルＤＳＣＳＣＨ及び下りリンク同期チャネルＤＳＮＣＨが周波数軸上サブキャリア間で連続的にマッピングされていることを示しているが、サブキャリア間で間引きにより断続的にマッピングしてもよい。【０１３３】
図６は、ＥＵＴＲＡについて３ＧＰＰの提案をベースに想定されている下りリンク無線フレームの他の構成例を示す図である。例えば、図６に示したように、図４の構成に代えて下りリンク共通パイロットチャネルＤＣＰＣＨ、下りリンク共通制御チャネルＤＣＣＣＨ及び下りリンク共用制御シグナリングチャネルＤＳＣＳＣＨをサブキャリア交互に配置してもよい。【０１３４】
また上記の各下りリンクチャネルは、下りリンク周波数帯域全体に渡ってＴＤＭの例を示しているが、ＣＤＭ（Ｃｏｄｅ  Ｄｉｖｉｏｎ  Ｍｕｌｔｉｐｌｅｘｉｎｇ）、ＦＤＭ、ＴＤＭ・ＦＤＭの組合せでもよい。
また前記各下りリンクチャネルは、１つのＯＦＤＭシンボル長（Ｔｓ）を示しているが、情報量により複数のＯＦＤＭシンボル長（Ｔｓ）を使用してもよい。【０１３５】
また下りリンク共用データチャネルＤＳＤＣＨは、ＡＭＣＳ方式をベースに、各移動局宛てのパケットデータを送信する。一例として、図１に示したように、各移動局の伝搬路状況に応じて、移動局ＭＳ１、ＭＳ２，ＭＳ３に割当てられている。【０１３６】
図７及び図８は、本発明と関連する基地局及び移動局の構成例をそれぞれ示す図である。図７において、基地局１００は、アンテナ部１０１、無線部１０２、復調部１０３、上りリンクチャネル推定部１０４、制御データ抽出部１０５、チャネルデコーディング部１０６、チャネルコーディング部１０７、制御データ挿入部１０８、ＯＦＤＭ変調部１０９、及びスケジューリング部１１０により構成されている。【０１３７】
また図８において、移動局２００は、アンテナ部２０１、無線部２０２、ＯＦＤＭ復調部２０３、下りリンクチャネル推定部２０４、制御データ抽出部２０５、チャネルデコーディング部２０６、チャネルコーディング部２０７、制御データ挿入部２０８、変調部２０９、及び制御部２１０により構成されている。【０１３８】
図７及び図８により、３ＧＰＰの提案をベースに想定されている基地局１００及び移動局２００の動作原理を簡単に説明する。
基地局１００では、まず、基地局１００が上位ネットワークノード（例えば、Ｗ−ＣＤＭＡ方式のＳＧＳＮ（Ｓｅｒｖｉｎｇ  ＧＰＲＳ  Ｓｕｐｐｏｒｔ  Ｎｏｄｅ）やＲＮＣ（Ｒａｄｉｏ  Ｎｅｔｗｏｒｋ  Ｃｏｎｔｒｏｌ）、図示せず）から移動局２００宛てのパケットデータ（加入者識別情報、例えばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ＴＭＥＩ（Ｔｅｍｐｏｒａｒｙ  Ｍｏｂｉｌｅ  Ｅｑｕｉｐｍｅｎｔ  Ｉｄｅｎｉｔｙ）やＩＰアドレスなど含む）を受信した場合、そのパケットデータを基地局送信データバッファ（図示せず）に保存する。送信データバッファからの下りリンク送信データはチャネルコーディング部１０７に入力され、チャネルコーディング部１０７はスケジューリング部１１０の出力信号である下りリンクＡＭＣモードと下りリンク移動局割り当て情報（下りリンクスケジューリング情報）など下りリンクＡＭＣ情報が入力され、下りリンクＡＭＣ情報により定義されたＡＭＣモード（例えば、ターボ符号、符号化率２／３）を用いて、下りリンク送信データの符号化処理を行い、その出力が制御データ挿入部１０８に入力される。【０１３９】
下りリンク制御データは、前記の下りリンクパイロットチャネルＤＰＣＨ、下りリンク共通制御チャネルＤＣＣＣＨ及び下りリンク同期チャネルＤＳＮＣＨの制御データが含まれている。下りリンク制御データが制御データ挿入部１０８に入力され、図１に示した下りリンク共通制御チャネルＤＣＣＣＨの制御データマッピングが行われる。パケットインジケーターＰＩ情報は、指定または算出された周波数帯域幅内の下りリンク共通制御チャネルＤＣＣＣＨマッピングされている（共用信号制御チャネルＳＣＳＣＨにマッピングされる場合もある）。
一方、スケジューリング部１１０により決定した下りリンクＡＭＣ情報（ＡＭＣモード、下りリンクスケジューリング情報など）が制御データ挿入部１０８に入力され、下りリンク共用制御シグナリングチャネルＤＳＣＳＣＨの制御データマッピングが行われる。【０１４０】
下りリンク共通制御チャネルＤＣＣＣＨ、下りリンク共用制御シグナリングチャネルＤＳＣＳＣＨ及び下り共用データチャネルＤＳＤＣＨがマッピングされた制御データ挿入部１０８の出力は、ＯＦＤＭ変調部１０９に送られる。ＯＦＤＭ変調部１０９では、データ変調、入力信号の直列／並列変換、拡散符号及びスクランブリングコードを乗算し、ＩＦＦＴ（Ｉｎｖｅｒｓｅ  Ｄｉｓｃｒｅｔｅ  Ｆｏｕｒｉｅｒ  Ｔｒａｎｓｆｏｒｍ）変換、ＣＰ（Ｃｙｃｌｉｃ  Ｐｒｅｆｉｘ）挿入、フィルタリングなどＯＦＤＭ信号処理を行い、ＯＦＤＭ信号を生成する。またＯＦＤＭ変調部１０９は、スケジューリング部１１０からの下りリンクＡＭＣ情報が入力され、各サブキャリアのデータ変調（例えば、１６ＱＡＭ）を制御する。そして図４に示した無線フレームを生成し、無線部の送信回路によりＲＦ（Ｒａｄｉｏ  Ｆｒｅｑｕｅｎｃｙ）周波数帯域に変換され、アンテナ部から下りリンク信号が送信される。【０１４１】
一方、移動局２００から送られてきた上りリンク信号がアンテナ部１０１により受信され、無線部の受信回路によりＲＦ周波数からＩＦ、または直接ベースバンド帯域に変換され、復調部１０３に入力する。上りリンク信号は、ＯＦＤＭ信号、ＭＣ−ＣＤＭＡ（Ｍｕｌｉｔ−Ｃａｒｒｅｒ−ＣＤＭＡ）信号、またはＰＡＰＲを低減するためのシングルキャリアＳＣ信号、ＶＳＣＲＦ−ＣＤＭＡ（Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒｓ−ＣＤＭＡ）信号を使用してもよい（例えば、特許文献２（特開２００４−１９７７５６号公報；「移動局、基地局、無線伝送プログラム、及び無線伝送方法」）参照）。【０１４２】
上りリンクチャネル推定部１０４では、上りリンクパイロットチャネルＵＰＣＨを利用して、各移動局の個別の上りリンクチャネルの伝搬路品質を推定し、上りリンク伝搬路品質情報ＣＱＩを算出する。算出された上りリンクＣＱＩ情報は、スケジューリング部１１０に入力される。そして上りリンクＡＭＣモードと上りリンクスケジューリング情報など上りリンクＡＭＣ情報が制御データ挿入部１０８に入力され、下りリンク共用制御シグナリングチャネルＤＳＣＳＣＨにマッピングされて、該当移動局２００に送信される。【０１４３】
該当移動局２００は、スケジューリング部１１０の出力である上りリンクＡＭＣ情報に従って、決められた上りリンクＡＭＣモードと上りリンクスケジューリング情報によりパケットデータを送信する。そしてそのパケットデータの上りリンク信号が復調部１０３及びチャネルデコーディング部１０６に入力される。一方、スケジューリング部１１０の出力である上りリンクＡＭＣ情報は復調部とチャネルデコーディング部１０６に入力され、この情報に従って上りリンク信号の復調（例えば、ＱＰＳＫ）、復号処理（例えば、畳込み符号、符号化率２／３）が行われる。【０１４４】
制御データ抽出部１０５は、上りリンクコンテンションベースチャネルＵＣＢＣＨ及び上りリンク共用制御シグナリングチャネルＵＳＣＳＣＨの制御情報を抽出する。また制御データ抽出部１０５は、上りリンク共用制御シグナリングチャネルＵＳＣＳＣＨを通じて送られてきた移動局２００の下りチャネル伝搬路品質情報ＣＱＩを抽出し、スケジューリング部１１０に入力し、下りリンクＡＭＣ情報を生成する。【０１４５】
スケジューリング部１１０には、上りリンクチャネル推定部１０４から上りリンクＣＱＩ情報が入力され、移動局２００からフィードバックされた下りリンクＣＱＩ情報が制御データ抽出部１０５から入力され、さらに基地局制御部（図示せず）から各移動局の下り／上りリンク送信データバッファ情報、上り／下りリンクＱｏＳ（Ｑｕｌｉｔｙ  ｏｆ  Ｓｅｒｖｉｃｅ）情報、各種サービスクラス情報、移動局クラス情報、加入者識別情報などが入力される。
そしてスケジューリング部１１０は、入力されたこれらの情報を総合し、指定または算出された中心周波数において、選択されたスケジューリングアルゴリズムに従って上り／下りリンクＡＭＣ情報を生成し、図７に示した各部に出力し、パケットデータの送信スケジューリングを実現する。【０１４６】
次に移動局２００では、まずアンテナ部２０１により下りリンクＯＦＤＭ信号を受信し、無線部２０２のローカルＲＦ周波数発振回路（シンセサイザー）、ダウンコンバーター、フィルター、増幅器などにより、下りリンク受信信号をＲＦ周波数からＩＦ、または直接ベースバンド帯域に変換し、ＯＦＤＭ復調部２０３に入力する。下りリンクチャネル推定部２０４では、下りリンクパイロットチャネルＤＰＣＨを利用して（下りリンク共通パイロットチャネルＤＣＰＣＨ、下りリンク個別パイロットチャネルＤＤＰＣＨ、または両者の組合せを利用して）、各移動局の個別の下りリンクチャネルの伝搬路品質を推定し、下りリンク伝搬路品質情報ＣＱＩを算出する。算出された下リンクＣＱＩ情報は制御データ挿入部２０８に入力され、上りリンク共用制御シグナリングチャネルＵＳＣＳＣＨにマッピングされて、基地局１００に送信される。【０１４７】
ＯＦＤＭ復調部２０３では、入力信号のＣＰ（Ｃｙｃｌｉｃ  Ｐｒｅｆｉｘ）除去、ＦＦＴ（Ｄｉｓｃｒｅｔｅ  Ｆｏｕｒｉｅｒ  Ｔｒａｎｓｆｏｒｍ）変換、拡散符号及びスクランブリングコードを乗算し、並列／直列変換、データ復調、フィルタリングなどＯＦＤＭ信号復調処理を行い、復調データを生成し、制御データ抽出部２０５に入力する。【０１４８】
制御データ抽出部２０５では、下りリンク共用データチャネルＤＳＤＣＨ以外の下りリンクチャネル制御情報（パケットインジケーターＰＩ情報、パケットページング情報、下りアクセス情報、報知情報など）を抽出する（下りリンク共用シグナリング制御チャネルＳＣＳＣＨにマッピングされる場合もある）。下りリンク共用制御シグナリングチャネルＤＳＣＳＣＨにマッピングされている下りリンクＡＭＣモードと下りリンクスケジューリング情報など下りリンクＡＭＣ情報を抽出し、ＯＦＤＭ復調部２０３及びチャネルデコーディング部２０６に出力する。また下りリンク共用制御シグナリングチャネルＤＳＣＳＣＨにマッピングされている上りリンクＡＭＣモードと上りリンクスケジューリング情報など上りリンクＡＭＣ情報を抽出し、変調部２０９及びチャネルコーディング部２０７に出力する。【０１４９】
ＯＦＤＭ復調部２０３では、下りリンクＡＭＣ情報により定義されたＡＭＣモード（例えば、１６ＱＡＭ）を用いて、サブキャリアの復調を行う。チャネルデコーディング部では、下りリンクＡＭＣ情報により定義されたＡＭＣモード（例えば、ターボー符号、符号化率２／３）を用いて、下りリンク共用データチャネルＤＳＤＣＨにマッピングされている自局宛てのパケットデータの復号を行う。【０１５０】
チャネルコーディング部２０７は、移動局２００の個別のパケットデータである上りリンク送信データが入力され、制御データ抽出部２０５から出力されている下りリンクＡＭＣ情報（例えば、畳込み符号、符号化率２／３）を用いて符号化を行い、制御データ挿入部２０８に出力する。【０１５１】
制御データ挿入部２０８は、下りリンクチャネル推定部２０４からの下りリンクＣＱＩ情報を上りスケジューリングチャネルＵＳＣＨに含まれる上りリンク共用制御シグナリングチャネルＵＳＣＳＣＨにマッピングさせ、上りリンクコンテンションベースチャネルＵＣＢＣＨと上りスケジューリングチャネルＵＳＣＨを上りリンク送信信号にマッピングする。【０１５２】
変調部２０９は、制御データ抽出部２０５から出力されている下りリンクＡＭＣ情報（例えば、ＱＰＳＫ）を用いてデータ変調を行い、無線部２０２の送信回路に出力する。上りリンク信号の変調は、ＯＦＤＭ信号、ＭＣ−ＣＤＭＡ信号、またはＰＡＰＲを低減するためにシングルキャリアＳＣ信号、ＶＳＣＲＦ−ＣＤＭＡ信号を使用してもよい。【０１５３】
制御部２１０は、移動局クラス情報、固有周波数帯域幅情報、加入者識別情報を保有している。そして制御部２１０は、指定または算出された中心周波数にシフトする制御信号を無線部２０２に送り、無線部２０２のローカルＲＦ周波数発信回路（シンセサイザー）により中心周波数シフトを行う。【０１５４】
無線部２０２のローカルＲＦ周波数発振回路（シンセサイザー）、アップコンバーター、フィルター、及び増幅器などにより、ベースバンド信号がＲＦ周波数帯域に変換され、アンテナ部２０１から上りリンク信号が送信される。無線部２０２には、前記の異なる周波数帯域幅（例えば、１.２５ＭＨｚ，２.５ＭＨｚ，５ＭＨｚ，１０ＭＨｚ，２０ＭＨｚ）に対応したＩＦ、ＲＦフィルターが含まれている。【０１５５】
図９は、本発明の第１の実施形態を説明するための図である。第１の実施形態では、ＥＵＴＲＡに対する３ＧＰＰの提案をベースに想定されている異なる移動局クラスの移動局を基地局装置の固有周波数帯域幅に収容するための移動局の使用周波数帯域位置の指定方法を提案する。移動局の使用周波数帯域とは、少なくともアクティブモードの移動局がパケットの送受信に使用する周波数帯域である。【０１５６】
図９では、基地局の固有周波数帯域幅が２０ＭＨｚである場合において、異なる移動局クラスのそれぞれの移動局が使用する下りリンクの周波数帯域に番号付けを行なった。以下に移動局の使用周波数帯域に割り振られたそれぞれの番号の構成を説明する。図９に示す構成は、各移動局の使用周波数帯域はオーバーラップしないことを前提にしている。【０１５７】
ここでは２０ＭＨｚまたは１５ＭＨｚ移動局クラスの移動局の使用周波数帯域位置は、図に示すように選択肢が１つなので必然的に決まる。また１０ＭＨｚ移動局クラスの移動局の使用周波数帯域位置は、２個の候補（０番と１番（２進数表記））があり、また５ＭＨｚ移動局クラスの移動局の使用周波数帯域位置は、４個の候補（００番、０１番、１０番、１１番）がある。また２.５ＭＨｚ移動局クラスの移動局の使用周波数帯域位置は、８個の候補（０００番〜１１１番）があり、１.２５ＭＨｚ移動局クラスの移動局の使用周波数帯域位置は、１６個の候補（００００番〜１１１１番）がある。【０１５８】
それぞれの移動局クラスの移動局は、上記の使用周波数帯域の候補から選んだ適切な周波数位置にシフトする。その移動局の使用周波数帯域位置は、周波数利用効率を考慮し、偏ることなく平等に選択されるべきである。【０１５９】
アイドルモード時には、基地局と移動局で個別情報のやり取りを行なわないため、基地局は、自局に収容されているアイドルモードの移動局の使用周波数帯域位置を把握することはできない。よって、下りリンクの通信開始時、パケットの着信を移動局に伝える際に、基地局は、どの周波数帯域でページング情報を送信すればよいかわからない。これは、アイドルモードのすべての移動局が、予め定められた同じ周波数帯域でページング情報を受信するとすれば解決されるが、すべての移動局クラスの移動局がページング情報や使用周波数帯域位置の指定情報を特定の周波数帯域で送受するため、特定の周波数帯域でのトラフィックが増加してしまい、結果として周波数利用効率が下がってしまう。【０１６０】
また、移動局クラスごとに特定の周波数帯域を使用するように、使用周波数帯域を配置したとしても、例えば、基地局内のすべての移動局が１.２５ＭＨｚ移動局クラスの場合には、特定の周波数帯域でのトラフィックの改善は得られない。よって、下りリンク通信開始時のページング情報やシフト位置の指定情報の通信トラフィック量を低減するような方法で、使用周波数帯域位置が選択されるべきである。【０１６１】
上りリンクの通信開始時についても同様に、移動局は、コンテンションベースのアクセスをどの周波数帯域で送信すればよいかわからない。これは、アイドルモードのすべての移動局が予め定められた同じ周波数帯域でコンテンションベースアクセスを行なうとすれば解決されるが、すべての移動局がコンテンションベースアクセスを特定の周波数帯域で行なうため、特定の周波数帯域での衝突頻度が上がってしまう。よって、上りリンク通信開始時のコンテンションベースアクセスの衝突頻度を低減するような方法で、使用周波数帯域位置が選択されるべきである。【０１６２】
また、アイドルモードにおいて、移動局は，常に移動局クラスで定めた周波数帯域幅で下りリンク信号を受信すると、周波数帯域が大きい移動局クラスの移動局が消費電力の面で非効率である。アイドルモード時の受信信号は、１.２５ＭＨｚ移動局クラスの移動局でも受信可能であるべきなので、１.２５ＭＨｚ以上の移動局クラスの移動局も１.２５ＭＨｚ帯域幅のみの信号を受信し、受信帯域幅を狭くして消費電力を低減すべきである。【０１６３】
このため、アイドルモード時に下りリンク信号を受信する周波数帯域位置が同じ複数の移動局をグルーピングし、それをＩＭグループ（アイドルモードグループ）と呼ぶ。ここでは、それぞれのＩＭグループが受信する周波数帯域幅は１.２５ＭＨｚ幅とする。このＩＭグループが受信する周波数帯域をアイドルモード時の使用周波数帯域と定義する。ＩＭグループの周波数帯域位置は、使用周波数帯域内に含まれている。また、ＩＭグループには、異なる移動局クラスが含まれる。ＩＭグループが受信する帯域幅は、１.２５ＭＨｚなので、ＩＭグループを示す番号は、１.２５ＭＨｚ移動局クラスの使用周波数帯域候補の番号と共用できる。【０１６４】
さらには、同じＩＭグループに属する複数の移動局をパケット着信群としてグループ分けし、それをＰＩグループ（パケットインジケーターグループ）と呼ぶ。ＰＩグループ＃ｎ番に属する移動局は、パケットインジケーターＰＩにてＰＩグループ＃ｎ番に着信ありと通知された場合に、下りリンク共用制御シグナリングチャネルＤＳＣＳＣＨや下りリンク共用データチャネルＤＳＤＣＨを受信し、自局宛てのパケット着信の有無を確認する。
例えば、図９に示す番号０１０１０００１０は、５ＭＨｚ移動局クラスの移動局が、０１番の使用周波数帯域位置、０１０１番のＩＭグループ、０００１０番のＰＩグループに属していることを示している。【０１６５】
上記のようなアイドルモード時の下りリンク信号の受信周波数領域でのグルーピングにより、アイドルモードの移動局は、狭い周波数帯域幅の信号を受信することになり、消費電力を低減することが可能となる。
また、周波数領域でのグルーピングと時間領域でのグルーピングを組み合わせて（ＦＤＭ・ＴＤＭ）、さらにそれを細分化することにより、アイドルモードの移動局の受信周波数・時間位置を分散させることが可能である。これにより、アイドルモードの移動局は、周波数・時間ともに狭い範囲の信号を受信することになり、消費電力を大幅に低減することが可能となる。これは、例えば、ＩＭグループをさらに分割して、ＴＴＩごとにパケットインジケーターＰＩを配置することで実現できる。具体的には、図１０に示すようＩＭグループ番号にフレーム内のＴＴＩの位置を示すビットを追加すればよい。【０１６６】
図１１は、基地局の固有周波数帯域幅１５ＭＨｚ，１０ＭＨｚ，５ＭＨｚ，２.５ＭＨｚの場合において、異なる移動局クラスの移動局に対する使用周波数帯域の候補に番号付けを行なった様子を示す図で、基地局の固有周波数帯域幅が１５ＭＨｚである場合を図１１（Ａ）に、基地局の固有周波数帯域幅が１０ＭＨｚである場合を図１１（Ｂ）に、基地局の固有周波数帯域幅が５ＭＨｚである場合を図１１（Ｃ）に、基地局の固有周波数帯域幅が２.５ＭＨｚである場合を図１１（Ｄ）に示すものである。このように、基地局の固有周波数帯域幅に対応した番号付けを行うことにより、基地局の固有周波数帯域幅に柔軟に対応することができる。【０１６７】
基地局と移動局とで通信することなく上記の指定を行なうために、パケット着信時に基地局側と移動局側の双方で保持している移動局を特定する加入者識別情報を利用する。この加入者識別情報は、Ｗ−ＣＤＭＡ方式で使用されていたＩＭＳＩ、ＴＭＳＩ、ＩＭＥＩ、ＴＭＥＩや移動局に割り当てられたＩＰアドレスなどの加入者もしくは端末を識別するための情報である。一例として，ここでは、ＩＭＳＩをベースに説明を行なう。【０１６８】
上記の使用周波数帯域位置、ＩＭグループ、及びＰＩグループは、この加入者識別情報ＩＭＳＩ（ＩＭＳＩ＝１，２，３，…，ｎ）と、基地局の固有周波数帯域幅ＭＢｎｂ（Ｎｏｄｅ  Ｂ  Ｍａｘｉｍｕｍ  Ｂａｎｄ，ＭＢｎｂ＝１.２５，２.５，５，１０，１５，２０ＭＨｚ）と、移動局の固有周波数帯域幅Ｂｎとから計算する。【０１６９】
図１２は、使用周波数帯域位置、ＩＭグループ、及びＰＩグループの算出方法を説明するための図である。
ここでは、加入者識別情報ＩＭＳＩ＝１０１０１００１０１０００１０（２進数表記）、移動局の固有周波数帯域幅Ｂｎ＝５ＭＨｚ、基地局の固有周波数帯域幅ＭＢｎｂ＝２０ＭＨｚ、ＩＭグループが受信する帯域幅Ｂｉｍ＝１.２５ＭＨｚであるものとする。ここで使用周波数帯域位置を特定する使用周波数帯域位置番号Ｐｓ、ＩＭグループを特定するＩＭグループ番号Ｐｉｍ、ＰＩグループを特定するＰＩグループ番号Ｐｐｉを算出する。ＩＭグループが受信する帯域幅Ｂｉｍ内に含まれるＰＩグループ数Ｎｐｉは３２とする。また２０ＭＨｚ帯域幅に含まれるＰＩグループの総数は５１２である。【０１７０】
加入者識別情報ＩＭＳＩ  ｍｏｄ  ５１２の計算により算出された０１０１０００１０の上位２ビットは、使用周波数帯域位置番号Ｐｓが、５ＭＨｚ帯域の０１番であることを示し、上位４ビットは、ＩＭグループ番号Ｐｉｍが０１０１番であることを示し、下位５ビットは、ＰＩグループ番号Ｐｐｉが０００１０番であることを示している。
上記の処理を一般化した算出式を以下に示す。【０１７１】
ＩＭグループ数（Ｎｉｍ）＝ＭＢｎｂ（ＭＨｚ）／ＢｉｍＭＨｚ）          （式１）
使用周波数帯域位置内ＩＭグループ数（Ｎｉｍ＿ｓ）＝Ｂｎ（ＭＨｚ）／Ｂｉｍ（ＭＨｚ）（式２）
ＰＩグループ番号（Ｐｐｉ）＝ＩＭＳＩ  ｍｏｄ  Ｎｐｉ                  （式３）
ＩＭグループ番号（Ｐｉｍ）＝ＩＭＳＩ／Ｎｐｉ  ｍｏｄ  Ｎｉｍ          （式４）
使用周波数帯域位置の候補数（Ｎｓ）＝ＭＢｎｂ／Ｂｎ                    （式５）
使用周波数帯域位置番号（Ｐｓ）＝ＩＭＳＩ／（Ｎｐｉ×Ｎｉｍ＿ｓ）ｍｏｄ Ｎｓ
（式６）【０１７２】
ただし、アイドルモード時のＩＭグループの配置をＦＤＭ・ＴＤＭ配置する場合は、フレーム内のＴＴＩ数Ｎｔｔｉ＝２０とすると、
時間方向ＩＭグループ番号（Ｐｉｍ＿ｔ）＝ＩＭＳＩ／Ｎｐｉ／Ｎｉｍ  ｍｏｄ  Ｎｔｔｉ、
ＦＤＭ・ＴＤＭ ＩＭグループ番号（Ｐｉｍ＿ｆｔ）＝Ｐｉｍ×Ｐｉｍ＿ｔ、
となる。【０１７３】
図１３は、使用周波数帯域位置、ＩＭグループ、及びＰＩグループの算出方法を説明するための他の図で、加入者識別情報ＩＭＳＩ＝１０１０１００１０１０００１０（２進数表記）、移動局の固有周波数帯域幅Ｂｎ＝５ＭＨｚ、基地局の固有周波数帯域幅ＭＢｎｂ＝１５ＭＨｚ、ＰＩグループ数Ｎｐｉ＝３２の場合の算出方法を示すものである。この場合、上記の式を使うと使用周波数帯域位置番号、ＩＭグループ番号、ＰＩグループ番号は以下のようになる。
ＩＭグループ数（Ｎｉｍ）＝１５／１.２５＝１２                        （式７）
使用周波数帯域位置内ＩＭグループ数（Ｎｉｍ＿ｓ）＝５／１.２５＝４    （式８）
ＰＩグループ番号（Ｐｐｉ）＝２１６６６  ｍｏｄ  ３２＝０００１０      （式９）
ＩＭグループ番号（Ｐｉｍ）＝２１６６６／３２  ｍｏｄ  １２＝０１０１（式１０）
使用周波数帯域位置の候補数（Ｎｓ）＝１５／５＝３                    （式１１）
使用周波数帯域位置番号（Ｐｓ）＝２１６６６／（３２×４）  ｍｏｄ  ３＝０１
（式１２）【０１７４】
図１４は、使用周波数帯域位置、ＩＭグループ、及びＰＩグループの算出方法を説明するための更に他の図で、加入者識別情報ＩＭＳＩ＝１０１０１００１０１００１００（２進数表記）、移動局の固有周波数帯域幅Ｂｎ＝１５ＭＨｚ、基地局の固有周波数帯域幅ＭＢｎｂ＝２０ＭＨｚ、ＰＩグループ数Ｎｐｉ＝３２の場合の算出方法を示すものである。この場合、上記の式を使うと使用周波数帯域位置番号、ＩＭグループ番号、及びＰＩグループ番号は以下のようになる。【０１７５】
ＩＭグループ数（Ｎｉｍ）＝２０／１.２５＝１６                      （式１３）
使用周波数帯域位置内ＩＭグループ数（Ｎｉｍ＿ｓ）＝１５／１.２５＝１２
（式１４）
ＰＩグループ番号（Ｐｐｉ）＝２１５４０  ｍｏｄ  ３２＝００１００    （式１５）
ＩＭグループ番号（Ｐｉｍ）＝２１５４０／３２  ｍｏｄ  １６＝０００１（式１６）
使用周波数帯域位置の候補数（Ｎｓ）＝２０／１５＝１                  （式１７）
使用周波数帯域位置番号（Ｐｓ）＝２１５４０／（３２×４）  ｍｏｄ  １＝０
（式１８）【０１７６】
基地局固有周波数帯域幅ＭＢｎｂが２０ＭＨｚで移動局の固有周波数帯域幅Ｂｎが１５ＭＨｚの場合、残りの５ＭＨｚ分の周波数帯域は、移動局では使用することができない。例えば、図９で示したように１５ＭＨｚ移動局クラスの移動局の使用周波数帯域位置を、基地局固有周波数帯域幅２０ＭＨｚの中心に固定して配置する場合、上記の算出方法では、移動局が使用できない左右の２.５ＭＨｚ帯域にＩＭグループ位置が該当する場合が生じる。これを回避する手段として、基地局の固有周波数帯域幅ＭＢｎｂを１５ＭＨｚに設定して算出し、図１１（Ａ）に示す基地局固有周波数帯域幅１５ＭＨｚ用の番号列を使ってＩＭグループ位置を特定する方法が考えられる。【０１７７】
また別の方法として、１５ＭＨｚ移動局クラスの移動局の使用周波数帯域位置を可変にし、中心周波数１５ＭＨｚから左右に２.５ＭＨｚ分ずらすことができるようにする。図１４に示すように、５つの移動局の使用周波数帯域位置の候補ａ〜ｅが考えられ、ＩＭグループ番号によって使用周波数帯域位置を選択するようにする。これによって、２０ＭＨｚの固有周波数帯域幅を持つ基地局において、１５ＭＨｚ移動局クラスの移動局を効率よく配置することが可能となる。【０１７８】
上記の方法は、１５ＭＨｚ以外の移動局クラスの移動局に対しても適応することが可能である。１５ＭＨｚ，１０ＭＨｚ，５ＭＨｚ，２.５ＭＨｚの使用周波数帯域の構成を固定することなく、ＩＭグループ番号と使用周波数帯域を関連付けて規定することにより、使用周波数帯域を柔軟に構成することが可能である。例えば、５ＭＨｚ移動局クラスの移動局の場合、図１５に示すように、オーバーラップする形で使用周波数帯域を構成することが考えられる。【０１７９】
算出された使用周波数帯域位置番号（Ｐｓ）により、基地局装置の無線部１０２及び移動局の無線部２０２の上り・下りリンクＲＦ中心周波数及びチャネル番号ＵＡＲＦＣＮ  （ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ，（非特許文献６）；３ＧＰＰ  ＴＳ  ２５.１０１、Ｖ６.８.０（２００５−０６），Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ  （ＦＤＤ），ｈｔｔｐ：／／ｗｗｗ.３ｇｐｐ.ｏｒｇ／ｆｔｐ／Ｓｐｅｃｓ／ｈｔｍｌ−ｉｎｆｏ／２５−ｓｅｒｉｅｓ.ｈｔｍ）を算出することができる。【０１８０】
まず基地局の固有周波数帯域幅ＭＢｎｂ、及び基地局の下りリンク中心周波数ＮＢｆｃにより、移動局の下りリンク帯域幅の最小周波数ＤＬ＿ＮＢｆｍｉｎを計算する。
ＤＬ＿ＮＢｆｍｉｎ＝ＮＢｆｃ―ＭＢｎｂ／２                        （式１９）
次に，移動局の下りリンクの使用周波数帯域の中心周波数ＤＬ＿Ｆｓ、及びＩＭグループ中心周波数ＤＬ＿Ｆｉｍを計算する。
ＤＬ＿Ｆｓ＝ＮＢｆｍｉｎ＋Ｂｎ・（２Ｐｓ＋１）／２  （ＭＨｚ）      （式２０）
ＤＬ＿Ｆｉｍ＝ＮＢｆｍｉｎ＋Ｂｉｍ・（２Ｐｉｍ＋１）／２  （ＭＨｚ）（式２１）【０１８１】
例えば、基地局の固有周波数帯域幅ＭＢｎｂ＝２０ＭＨｚ、基地局の下りリンク中心周波数ＮＢｆｃ＝２１４４.９ＭＨｚとする場合、移動局の下りリンクの使用周波数帯域の最小周波数ＤＬ＿ＮＢｆｍｉｎは、
ＤＬ＿ＮＢｆｍｉｎ＝ＮＢｆｃ―ＭＢｎｂ／２＝２１４４.９−２０／２
＝２１３４.９  ＭＨｚ  （式２６）
となる。【０１８２】
図１２の場合、移動局の下りリンクの使用周波数帯域の中心周波数ＤＬ＿Ｆｓ、及びＩＭグループ中心周波数ＤＬ＿Ｆｉｍは、（Ｂｎ＝５ＭＨｚ，ＭＢｎｂ＝２０ＭＨｚ，Ｂｉｍ＝１.２５ＭＨｚ，Ｎｐｉ＝３２，Ｐｓ＝１，Ｐｉｍ＝５，Ｐｐｉ＝２，Ｎｉｍ＝１６，Ｎｉｍ＿ｓ＝４，Ｎｓ＝４）で、
ＤＬ＿Ｆｓ＝ＮＢｆｍｉｎ＋Ｂｎ・（２Ｐｓ＋１）／２
＝２１３４.９＋５×（２＋１）／２
＝２１４２.４  （ＭＨｚ）                （式２２）
ＤＬ＿Ｆｉｍ＝ＮＢｆｍｉｎ＋１.２５・（２Ｐｉｍ＋１）／２＝２１３４.９＋１.２５×（２×５＋１）／２＝２１４２.０５（ＭＨｚ）                  （式２３）
である。【０１８３】
【表１】
0005390771.tif 000002
【０１８４】
表１に示したＯｐｅｒａｔｉｎｇ  Ｂａｎｄにより、移動局の上りリンクの使用周波数帯域の中心周波数、及びＩＭグループ中心周波数を計算することができる。
ＵＬ＿Ｆｓ＝ＤＬ＿Ｆｓ−１９０＝１９５２.４  （ＭＨｚ）          （式２４）
ＵＬ＿Ｆｉｍ＝ＤＬ＿Ｆｉｍ―１９０＝１９５２.０５  （ＭＨｚ）    （式２５）【０１８５】
図１６及び図１７は、移動局の電源投入からアイドルモードへ遷移するまでの処理を説明するための図で、図１６はこのときの処理の流れを説明するフローチャートで、図１７（Ａ）及び図１７（Ｂ）は上りリンク及び下りリンクで移動局が使用する帯域とその手続きにおける主要な使用チャンネルをそれぞれ示している。なお、図１７には、図１６のフローと対応付けるための符号（移動局側のステップの符号）を記載した。
図１７において、Ｂ１，Ｂ２，Ｂ３，Ｂ４，Ｂ５はそれぞれ１.２５ＭＨｚ，２.５ＭＨｚ，５ＭＨｚ，１０ＭＨｚ，２０ＭＨｚの周波数帯域幅を示す。ここでは、一例として、Ｂ３移動局クラスの移動局の制御フローについて説明する。【０１８６】
移動局では、電源投入後、公衆移動通信網ＰＬＭＮ（Ｐｕｂｌｉｃ  Ｌａｎｄ  Ｍｏｂｉｌｅ  Ｎｅｔｗｏｒｋ）の選択（バンドサーチ）が行われる（ステップＳ１１）。また基地局では、下りリンク共通パイロットチャネルＤＰＣＨおよび下りリンク同期チャネルＤＳＮＣＨおよび下りリンク共通制御チャネルＤＣＣＣＨで情報が送信されている（ステップＳ２１）。【０１８７】
次に移動局では、自局のＩＭＳＩと、バンドサーチによる得られた基地局の固有周波数帯域幅ＭＢｎｂ及び基地局の下りリンク中心周波数ＮＢｆｃとから、使用周波数帯域位置番号Ｐｓ、ＩＭグループ番号Ｐｉｍ、ＰＩグループ番号Ｐｐｉ、移動局下りリンクの使用周波数帯域の中心周波数ＤＬ＿Ｆｓ及び下りリンクのＩＭグループ中心周波数ＤＬ＿Ｆｉｍ、移動局の上りリンクの使用周波数帯域の中心周波数ＵＰ＿Ｆｓ及び上りリンクのＩＭグループ中心周波数ＵＰ＿Ｆｉｍが算出される（ステップＳ１２）。【０１８８】
上記既知のパラメータから算出された使用周波数帯域の中心周波数ＤＬ＿Ｆｓ１、ＵＬ＿Ｆｓ１に従って、移動局は、無線部２０２のローカルＲＦ周波数発振回路（シンセサイザー）を設定し、使用周波数帯域位置への周波数シフトを行う。そして移動局では、初期セル選択（セルサーチ）が行われ（ステップＳ１３）、さらに報知情報が受信され（ステップＳ１４）、初期位置登録処理が開始される。【０１８９】
初期セル選択時に使用される下りリンク共通パイロットチャネルＤＰＣＨ、及び下りリンク同期チャネルＤＳＮＣＨは、上記で計算されたＤＬ＿Ｆｓ１を中心周波数とする使用周波数帯域で受信する。同様に、報知情報受信時に使用される下りリンク共通制御チャネルＤＣＣＣＨも、上記で計算されたＤＬ＿Ｆｓ１を中心周波数とする使用周波数帯域で受信する。下りリンク共通パイロットチャネルＤＰＣＨ、下りリンク同期チャネルＤＳＮＣＨ、及び下りリンク共通制御チャネルＤＣＣＣＨを受信する帯域と、アイドルモード時の使用周波数帯域を共用することにより、移動局での制御の負荷が軽減される。【０１９０】
図１８，図１９に示すように、下りリンク共通制御チャネルＤＣＣＣＨが、基地局の固有周波数帯域幅ＭＢｎｂの中心周波数ＮＢｆｃにマッピングされる下りリンク無線フレーム構成において、初期セル選択ステップ、及び報知情報受信ステップは、基地局の固有周波数帯域幅ＭＢｎｂの中心周波数ＮＢｆｃで実行する（図１７のステップ１３、ステップ１４参照）。そして報知情報の受信後、使用周波数帯域位置番号Ｐｓ、ＩＭグループ番号Ｐｉｍ、ＰＩグループ番号Ｐｐｉを算出する構成としてもよい。【０１９１】
図１８，図１９に示した下りリンク無線フレーム構成に対して、上記で計算されたＤＬ＿Ｆｓ１を中心周波数とする使用周波数帯域で下りリンク共通制御チャネルＤＣＣＣＨを受信するために、図２０，図２１に示したように、１.２５ＭＨｚの帯域幅ごと、またはＣｈｕｎｋごとに下りリンク共通制御チャネルＤＣＣＣＨをマッピングすることが必要である。一つの対応方法としては、下りリンクの固有周波数帯域幅ＭＢｎｂに渡って１.２５ＭＨｚの帯域幅ごとまたはＣｈｕｎｋごとに、下りリンク共通制御チャネルＤＣＣＣＨを配置し、全移動局共通のものはコピーし、必要ならばそれぞれの帯域またはＣｈｕｎｋ特有の情報を付加して配置することを提案する。【０１９２】
次に初期位置登録処理について説明する。移動局は、初期位置登録処理開始時に、上りリンクコンテンションベースチャネルＵＣＢＣＨを使用して、上りパケットアクセスの要求信号を送信する（ステップＳ１５）。この上りパケットアクセスの要求信号には、加入者識別情報ＩＭＳＩが含まれる。基地局は、上りパケットアクセスの要求信号を受信すると、デフォルトのスケジューリング設定情報と基地局で移動局を特定するための番号であるＲＮＴＩ（Ｒａｄｉｏ  Ｎｅｔｗｏｒｋ  Ｔｅｍｐｏｒａｒｙ  ＩＤ）などを含めて、上りパケットアクセスの許可信号として送信する（ステップＳ２２）。これにより無線ベアラが確立される。【０１９３】
この際に使用される上りリンクコンテンションベースチャネルＵＣＢＣＨ及び下りリンクスケジューリングチャネルＤＳＣＨは、上記で計算された使用周波数帯域位置で送受信される。これにより上りリンク要求時の衝突頻度が削減され、下りリンクの初期スケジューリングの手続きが削減される。【０１９４】
無線ベアラが確立されると、ネットワークの上位ノードに対して位置登録メッセージが送信される。上位ノードは位置登録メッセージを受信すると、一時的な加入者識別情報、例えばＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ＴＭＥＩ（Ｔｅｍｐｏｒａｒｙ  Ｍｏｂｉｌｅ  Ｅｑｕｉｐｍｅｎｔ  Ｉｄｅｎｉｔｙ）や一時的なＩＰアドレスなど、を位置登録の承認とともに送信する。同時に、鍵交換プロトコルや認証処理が実行される（ステップＳ１６，ステップＳ２３）。この際に使用される上りリンクスケジューリングチャネルＵＳＣＨ及び下りリンクスケジューリングチャネルＤＳＣＨは、上記で計算されたＵＬ＿Ｆｓ１、ＤＬ_Ｆｓ1を中心周波数とする使用周波数帯域で送受信される。【０１９５】
移動局と基地局は、一時的な加入者識別情報ＴＭＳＩから前述の計算式で使用周波数帯域位置番号Ｐｓ、ＩＭグループ番号Ｐｉｍ、ＰＩグループ番号Ｐｐｉを再計算する（ステップＳ１７，Ｓ２４）。そして算出された使用周波数帯域の中心周波数ＤＬ＿Ｆｓ２、ＵＬ＿Ｆｓ２に従って、移動局では、使用周波数帯域位置への周波数シフトが行なわれる。位置登録が終了すると、無線ベアラが開放されてアイドルモードに移行する。【０１９６】
図２２及び図２３は、アイドルモード時の処理を説明するための図で、図２２はこのときの処理の流れを説明するフローチャートで、図２３（Ａ）及び図２３（Ｂ）は上りリンク及び下りリンクで移動局が使用する帯域とその手続きにおける主要な使用チャンネルをそれぞれ示している。なお、図２３には、図２２のフローと対応付けるための符号（移動局側のステップの符号）を記載した。
アイドルモードに移行した移動局は、基地局から送信される下りリンク共通パイロットチャネルＤＰＣＨ、下りリンク同期チャネルＤＳＮＣＨ及び下りリンク共通制御チャネルＤＣＣＣＨを受信して、定期的にセル選択、報知情報の更新を行なう（ステップＳ３１，ステップＳ３２，ステップＳ４１）。【０１９７】
ここでは図１８，図１９に示した下りリンク無線フレーム構造に対して、基地局の固有周波数帯域幅ＭＢｎｂの中心周波数ＮＢｆｃで、下りリンク共通パイロットチャネルＤＰＣＨ、下りリンク同期チャネルＤＳＮＣＨ及び下りリンク共通制御チャネルＤＣＣＣＨを受信する。また図２０，図２１に示した下りリンク無線フレーム構造に対して、算出されたＤＬ＿Ｆｓ２を中心周波数とする使用周波数帯域とアイドルモード時の使用周波数帯域位置を共用するように構成してもよい。【０１９８】
そして移動局は、報知情報が示す登録エリアに変更があるかどうかを確認する（ステップＳ３３）。ここで登録エリアに変更がない場合には、位置登録のタイマーがオーバーしていないかどうかを確認する（ステップＳ３４）。位置登録タイマーがオーバーしていない場合、パケットインジケーターＰＩの受信手続きに入る。登録エリアに変更があるか、または位置登録のタイマーがオーバーしている場合は、位置登録の処理を行なう（ステップＳ３５，Ｓ４２）。【０１９９】
位置登録の処理は、上記図１６及び図１７で説明した初期位置登録処理と同様に（動作周波数帯域が異なる）、上りリンクコンテンションベースチャネルＵＣＢＣＨによる上りパケットアクセス要求、無線ベアラ確立、上りリンクスケジューリングチャネルＵＳＣＨ、下りリンクスケジューリングチャネルＤＳＣＨでの位置登録情報の送受信、及び無線ベアラ開放のステップを含む。
そして位置登録処理が終了すると、位置登録タイマーをセットして（ステップＳ３６）、パケットインジケーターＰＩの受信手続きに入る。ここでは、位置登録のみのタイマーについて説明したが、セルサーチのタイマー、ＰＩのタイマーを用意してもよい。【０２００】
図２４及び図２５は、パケット着信の制御処理を説明するための図で、図２４はこのときの処理の流れを説明するフローチャートで、図２５（Ａ）及び図２５（Ｂ）は上りリンク及び下りリンクで移動局が使用する帯域とその手続きにおける主要な使用チャンネルをそれぞれ示している。なお、図２５には、図２４のフローと対応付けるための符号（移動局側のステップの符号）を記載した。
基地局は、アイドルモードに移行した移動局に対するパケットを送信する場合、パケットの宛先のＩＭＳＩからＩＭグループＰｉｍ、ＰＩグループＰｐｉを算出し、パケットインジケーターＰＩをセットする（ステップＳ６１）。アイドルモードに移行した移動局は、間欠受信により、前述の算出式で得られたＩＭグループＰｉｍ、ＰＩグループＰｐｉで示される位置のパケットインジケーターＰＩを受信する（ステップＳ５１）。【０２０１】
パケットインジケーターＰＩが着信を示している場合（ステップＳ５２）、下りリンクスケジューリングチャネルＤＳＣＨを受信し、ページングチャネルＰＣＨ（ロジカルチャンル）に含まれるページングに関する詳細情報（Ｗ―ＣＤＭＡ方式のページング情報に相当する）を取得する（ステップＳ５３，Ｓ６２）。また上記ステップＳ５２でパケットインジケーターＰＩが着信を示していない場合、次の無線フレーム、または複数無線フレーム間隔後の無線フレームに含まれるパケットインジケーターＰＩを受信する（間欠受信）。【０２０２】
移動局が受信すべきページングチャネルＰＣＨの位置は、パケットインジケーターＰＩの位置に関連付けて予め定められている。移動局が、ページングに関する詳細情報から自局を特定する情報（ＩＭＳＩ、ＩＭＥＩ、ＩＰアドレス、ＲＮＴＩなど）を取得した場合には、無線ベアラの確立手続きを行なう（ステップＳ５４，Ｓ５５，Ｓ６３）。また自局へのパケット着信ではない場合は、次の無線フレーム、または複数無線フレーム間隔後の無線フレームに含まれるパケットインジケーターＰＩを受信する（間欠受信）。【０２０３】
上記無線ベアラ確立後、移動局は、下りリンクスケジューリングチャネルＤＳＣＨでのパケットの受信を開始する（ステップＳ５６）。また基地局では、ユーザデータのバッファが空になるまで下りリンクスケジューリングチャネルＤＳＣＨでパケットを送信する（ステップＳ６４）。そして基地局のバッファが空になると無線ベアラが開放される（ステップＳ６５，Ｓ６６）。続いてパケット発信手続きに入る。ここでは、パケットの受信のみについて説明したが、同時にパケットの送信が行なわれている場合もある。【０２０４】
図２６及び図２７は、パケット発信時の制御処理を説明するための図で、図２６はこのときの処理の流れを説明するフローチャートで、図２７（Ａ）及び図２７（Ｂ）は上りリンク及び下りリンクで移動局が使用する帯域とその手続きにおける主要な使用チャンネルをそれぞれ示している。なお、図２７には、図２６のフローと対応付けるための符号（移動局側のステップの符号）を記載した。
移動局は、送信すべきパケットがある場合（ステップＳ７１）、上りリンクコンテンションベースチャネルＵＣＢＣＨを使用して、上りパケットアクセスの要求信号を送信する（ステップＳ７２）。基地局は、上りパケットアクセスの要求信号を受信すると（ステップＳ８１）、デフォルトのスケジューリング設定情報と基地局で移動局を特定するための番号であるＲＮＴＩ（Ｒａｄｉｏ  Ｎｅｔｗｏｒｋ  Ｔｅｍｐｏｒａｒｙ  ＩＤ）などを含めて、上りパケットアクセスの許可信号として送信する。これにより無線ベアラが確立される（ステップＳ７３，Ｓ８２）。【０２０５】
無線ベアラが確立されると、移動局は、上りリンクスケジューリングチャネルＵＳＣＨでパケットを送信する（ステップＳ７４，Ｓ８３）。移動局のデータバッファが空になると（ステップＳ７５）、無線ベアラが開放される（ステップＳ７６，Ｓ８４）。そしてアイドルモード時の制御手続きへ戻る。【０２０６】
上記の説明では、アイドルモードの移動局は、各チャンネルを自局の固有周波数帯域幅で送受信しているが、アイドルモード時の消費電力を低減するため、ＩＭグループで使用される帯域幅Ｂｉｍ（＝Ｂ１）で送受信するように設計してもよい。通信中は、データ量に応じて、Ｂｉｍから移動局の固有周波数帯域幅Ｂｎまで使用する。
上記で説明した方法により、基地局側と移動局側で通信を最小限に抑えて、移動局が使用する各チャネルの使用周波数帯域を特定することができる。【０２０７】
図２８，図２９，及び図３０は、本発明の下りリンク無線フレームの構成例をそれぞれ示す図で、図４を基に、報知情報、及び下りリンク同期チャネルＤＳＮＣＨとパケットインジケーターＰＩと下りリンク共用制御シグナリングチャネルＤＳＣＳＣＨの最適な配置について示したものである。上記図２８〜３０の各図において、下りリンク無線フレームの構成を各図（Ａ）に示し、その図（Ａ）に合わせた間欠受信動作のイメージを各図（Ｂ）に示している。【０２０８】
図２８では、下りリンク共通制御チャネルＤＣＣＣＨは、無線フレームの先頭のＴＴＩでＩＭグループ帯域幅Ｂｉｍごとに配置され、アイドルモード時にＩＭグループが指定する帯域幅で受信可能とする。パケットインジケーターＰＩは、ＩＭグループをさらに分割して、ＴＴＩごとに配置されている。この場合、パケットインジケーターＰＩは、下りリンク共用制御シグナリングチャネルＤＳＣＳＣＨの一部としてマッピングされている。【０２０９】
上記のような構成により、移動局は、アイドルモード時に、ＩＭグループが指定する帯域で、セルサーチ、タイミング同期、報知情報及びパケットインジケーターＰＩの受信が可能であり、周波数シフトの処理を省くことができる。ここでは下りリンク共用制御シグナリングチャネルＤＳＣＳＣＨにパケットインジケーターＰＩがマッピングされているため、移動局がアクティブモードの場合のパケット受信処理とアイドルモードの場合のパケット着信処理を共通化できる。【０２１０】
この構成での間欠受信動作は、フレームの先頭のＴＴＩの下りリンク共通パイロットチャネルＤＣＰＣＨ、下りリンク共通制御チャネルＤＣＣＣＨ、下りリンク同期チャネルＤＳＮＣＨと、ページングインジケーターＰＩがマッピングされている下りリンク共用シグナリングチャネルＤＳＣＳＣＨの期間を受信部オンし、他の期間を受信オフする間欠受信方法である。【０２１１】
図２９では、図２８と同様に、下りリンク共通制御チャネルＤＣＣＣＨは、無線フレームの先頭のＴＴＩでＩＭグループ帯域幅Ｂｉｍごとに配置され、アイドルモード時に、ＩＭグループが指定する帯域幅で受信可能である。ただし、パケットインジケーターＰＩは、下りリンク共通制御チャネルＤＣＣＣＨの一部としてマッピングされている。この構成により、移動局は、アイドルモード時に、先頭のＴＴＩのＩＭグループが指定する帯域で、セルサーチ、タイミング同期、報知情報及びパケットインジケーターＰＩの受信が可能であり、周波数シフトの処理を省くことができる。【０２１２】
この構成での間欠受信動作は、フレームの先頭のＴＴＩの下りリンク共通パイロットチャネルＤＣＰＣＨ、下りリンク共通制御チャネルＤＣＣＣＨ、下りリンク同期チャネルＤＳＮＣＨの期間を受信部オンし、他の期間を受信オフする間欠受信方法である。【０２１３】
図３０では、下りリンク共通制御チャネルＤＣＣＣＨは、無線フレームの先頭のＴＴＩで特定のＢ１帯域幅に配置されている。移動局は、セルサーチ、タイミング同期、報知情報受信の際に、特定のＢ１帯域へシフトする。パケットインジケーターＰＩは、下りリンク共通制御チャネルＤＣＣＣＨの一部としてマッピングされている。【０２１４】
この構成での間欠受信動作は、フレームの先頭のＴＴＩの下りリンク共通パイロットチャネルＤＣＰＣＨ、下りリンク共通制御チャネルＤＣＣＣＨ、下りリンク同期チャネルＤＳＮＣＨの期間を受信オンし、他の期間を受信オフする間欠受信方法である。
また図示していないが、下りリンク共通制御チャネルＤＣＣＣＨは、無線フレームの先頭のＴＴＩで特定のＢ１帯域幅に配置し、パケットインジケーターＰＩは、下りリンク共用制御シグナリングチャネルにマッピングすることも考えられる。
また図５で示したように下りリンク共通パイロットチャネルＤＣＰＣＨ、下りリンク共通制御チャネルＤＣＣＣＨ及び下りリンク共用制御シグナリングチャネルＤＳＣＳＣＨをサブキャリア交互に配置してもよい。【０２１５】
ここまでの説明では、アイドルモード時の移動局の使用周波数帯域の候補を基地局の固有周波数帯域幅全体で分散するように配置していたが、基地局の固有周波数帯域幅内の、ある限定された範囲の周波数帯域幅で分散するように配置してもよい。その場合の算出式は、式１〜６の基地局の固有周波数帯域を、前記限定された範囲の周波数帯域幅に置き換えればよい。【０２１６】
また、アイドルモード時の移動局の使用周波数帯域位置が、移動局の使用周波数帯域内に含まれることが望ましいが、加入者識別情報を利用して、アイドルモード時の移動局の使用周波数帯域と移動局の使用周波数帯域をそれぞれ別々に算出してもよい。例えば、下りリンク共通制御チャネルＤＣＣＣＨやパケットインジケーターＰＩを特定の範囲の周波数帯域幅に配置し、残りをパケットの送受信用の周波数帯域として使用することが考えられる。その場合の算出式は、式１〜６の基地局の固有周波数帯域を、前記限定された範囲の周波数帯域幅に置き換えればよい。【０２１７】
図３１は、本発明の他の実施形態と関連する基地局及び移動局及び位置管理装置の構成例をそれぞれ示す図である。図３１において、基地局１００は、アンテナ部１１１、無線部１１２、制御部１１３、及び通信ＩＦ１１４により構成され、移動局２００は、アンテナ部２１１、無線部２１２、及び制御部２１３により構成され、位置管理装置３００は、位置管理データベース３０１、制御部３０２、及び通信ＩＦ３０３により構成されている。基地局１００は、本発明の基地局装置に該当し、移動局２００は、本発明の移動局装置に該当する。
図３１により、３ＧＰＰの提案をベースに想定されている基地局１００、移動局２００、及び位置管理装置３００の動作原理を簡単に説明する。【０２１８】
まず基地局１００が上位ネットワークノードから通信ＩＦ１１４を介して移動局２００宛てのパケットデータ（加入者識別情報、例えばＩＭＳＩなど含む）を受信した場合、基地局１００では、そのパケットデータを基地局送信データバッファ（図示せず）に保存する。そして送信データバッファからの下りリンク送信データは、制御部１１３でチャネルマッピング、スケジューリングされる。さらに下りリンク送信データは、無線部１１２で符号化処理、ＯＦＤＭ信号処理が行なわれ、無線部１１２の送信回路によりＲＦ（Ｒａｄｉｏ  Ｆｒｅｑｕｅｎｃｙ）周波数帯域に変換され、アンテナ部１１１から下りリンク信号が送信される。【０２１９】
一方、移動局２００から送られてきた上りリンク信号は、基地局１００のアンテナ部１１１により受信され、無線部１１２の受信回路によりＲＦ周波数からＩＦ、または直接ベースバンド帯域に変換され、復調される。上りリンク信号は、ＯＦＤＭ信号、ＭＣ−ＣＤＭＡ（Ｍｕｌｉｔ−Ｃａｒｒｅｒ−ＣＤＭＡ）信号、またはＰＡＰＲを低減するためのシングルキャリアＳＣ信号、ＶＳＣＲＦ−ＣＤＭＡ（Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒｓ−ＣＤＭＡ）信号を使用してもよい（例えば、特開２００４−１９７７５６号公報「移動局、基地局、無線伝送プログラム、及び無線伝送方法」参照）。基地局１００の制御部１１３は、移動局２００からの上位ネットワークノードへのパケットを受信すると、通信ＩＦ１１４を介して上位ネットワークノードへ転送する。【０２２０】
基地局１００の制御部１１３でのスケジューリングは、上りリンクＣＱＩ情報、移動局２００からフィードバックされた下りリンクＣＱＩ情報、各移動局の下り／上りリンク送信データバッファ情報、上り／下りリンクＱｏＳ（Ｑｕｌｉｔｙ  ｏｆ  Ｓｅｒｖｉｃｅ）情報、各種サービスクラス情報、移動局クラス情報、及び加入者識別情報などを元に行われる。そして、入力されたこれらの情報を総合し、選択されたスケジューリングアルゴリズムに従って上り／下りリンクＡＭＣ情報を生成し、パケットデータの送受信スケジューリングを実現する。【０２２１】
基地局１００の制御部１１３では、位置管理装置３００から通信ＩＦ１１４を介して移動局２００へのページング要求を受信すると、移動局２００へのパケットインジケーター（Ｗ−ＣＤＭＡ方式のページングインジケーターチャネルＰＩＣＨに相当する）とページング情報（Ｗ−ＣＤＭＡ方式のページングチャネルＰＣＨに相当する）のマッピングを無線部１１２に対して指示する。マッピング位置の指示情報は、ページング要求（ＩＭＳＩ、移動局の能力周波数帯域幅を含む）を元に生成される。また、移動局２００から位置管理装置３００へのアタッチ・位置登録要求を受信した場合には、通信ＩＦ１１４を介して位置管理装置３００へ転送する。【０２２２】
次に移動局２００では、まずアンテナ部２１１により下りリンクＯＦＤＭ信号を受信し、無線部２１２のローカルＲＦ周波数発振回路（シンセサイザー）、ダウンコンバーター、フィルター、及び増幅器などにより、下りリンク受信信号をＲＦ周波数からＩＦまたは直接ベースバンド帯域に変換し、ＯＦＤＭ復調、チャネルデコーディングし、パケットデータの復号を行なう。また、移動局２００の無線部２１２では、移動局２００の個別のパケットデータである上りリンク送信データが、制御部２１３で抽出された情報を用いて符号化され、下りリンクＡＭＣ情報を用いて下りリンクＣＱＩ情報ともにデータ変調され送信される。【０２２３】
移動局２００の制御部２１３では、下りリンクチャネル制御情報（パケットインジケーターＰＩ情報、パケットページング情報、下りアクセス情報、及び報知情報など）を抽出する。そして下りリンクＡＭＣモードと下りリンクスケジューリング情報など下りリンクＡＭＣ情報、上りリンクＡＭＣモードと上りリンクスケジューリング情報など上りリンクＡＭＣ情報を抽出し、無線部２１２に出力する。また、制御部２１３は、基地局１００から送出される下りリンクチャネル制御情報や下りリンクスケジューリング情報、及び上りリンクスケジューリング情報を元にスケジューリングを行なう。【０２２４】
移動局の制御部２１３は、移動局クラス情報、固有周波数帯域幅情報、及び加入者識別情報が保有している、指定または算出された中心周波数にシフトする制御信号を無線部２１２に送る。無線部２１２のローカルＲＦ周波数発振回路（シンセサイザ）により中心周波数シフトを行う。
制御部２１３は、報知情報などからアタッチと位置登録処理の必要性の有無を検出し、必要な場合、位置登録手順を制御する。また、パケットインジケーターＰＩ情報を取得し、パケット着信処理を制御する。【０２２５】
移動局２００では、無線部２１２のローカルＲＦ周波数発振回路（シンセサイザ）、アップコンバーター、フィルター、及び増幅器などにより、ベースバンド信号をＲＦ周波数帯域に変換し、アンテナ部２１１から上りリンク信号を送信する。無線部２１２には、前記の異なる周波数帯域幅（例えば、１.２５ＭＨｚ、２.５ＭＨｚ、５ＭＨｚ、１０ＭＨｚ、２０ＭＨｚ）に対応したＩＦ、ＲＦフィルターが含まれている。【０２２６】
位置管理装置３００は、Ｗ−ＣＤＭＡ方式のＶＬＲ及びＨＬＲに相当し、移動局２００からの位置登録要求を受信し、位置管理データベース３０１へ登録する。そして移動局２００への着信があった場合には、位置管理データベースから移動局２００の登録情報を取得し、ページング要求を位置登録エリア内の基地局に通信ＩＦ３０３を介して送信する。位置登録及びページングの手順の制御は、制御部３０２で行なわれる。【０２２７】
図３２及び図３３は、本発明の一実施形態を説明するための図である。本実施形態では、ＥＵＴＲＡに対する３ＧＰＰの提案をベースに想定されている異なる周波数帯域幅（例えば、１.２５ＭＨｚ、２.５ＭＨｚ、５ＭＨｚ、１０ＭＨｚ、２０ＭＨｚ）を持つ移動局が収容されるシステムにおけるページング及び位置登録方法を提案する。【０２２８】
図３２において、まず位置管理装置３００に対して移動局２００へのパケット着信があった場合には、位置管理装置３００は、位置管理データベース３０１から移動局２００の登録情報を取得し、ページング要求を位置登録エリア４００内の基地局１００に送信する。
そして基地局の固有周波数帯域幅が２０ＭＨｚである場合、異なる周波数帯域幅を持つそれぞれの移動局（この場合、１.２５ＭＨｚと２０ＭＨｚの周波数帯域幅能力を持つ移動局）２００が、それぞれ使用する下りリンクの周波数帯域でページング信号を受信する。【０２２９】
ここでページング信号とは、パケットインジケーターＰＩもしくはページング情報のことを言う。ページングは、パケットが着信している移動局２００の位置登録エリア４００を位置管理データベース３０１から取得し、位置登録エリア４００の基地局１００に対して、位置管理装置３００からページング要求を送出することで行なわれる。この際、基地局１００は、移動局２００がどの周波数帯域位置を使用しているか分からないため、ページング要求の情報の中に、着信した移動局２００の使用周波数帯域位置を特定する情報が必要となる。【０２３０】
図３３は、移動局の位置登録処理例について説明するための図である。
移動局２００は、電源投入時、位置登録エリア更新時、及び位置登録周期をオーバーしている場合等に、アタッチ・位置登録処理を行なう。移動局２００は、基地局１００を介して位置管理装置３００に対して位置登録要求を送出する。このとき、位置登録要求には、加入者識別情報（ＩＭＳＩまたはＩＰアドレス）、及び移動局２００の能力周波数帯域幅または移動局２００の使用周波数帯域位置を示す情報が含められる。移動局２００の能力周波数帯域幅を登録する場合には、ページング時に、基地局１００で加入者識別情報と移動局の能力周波数帯域幅を元に、移動局２００の使用周波数帯域位置を特定するアルゴリズムが必要となる。【０２３１】
図３４は、位置登録時及びページング時に使用される移動局の使用周波数帯域位置を特定する番号付けの方法を説明するための図である。
図３４（Ａ）は、基地局の固有周波数帯域幅を２０ＭＨｚとした時に、異なる能力周波数帯域幅を持つ各移動局が使用する周波数帯域位置の候補を示している。２０ＭＨｚ帯域幅または１５ＭＨｚ帯域幅能力の移動局の使用帯域は、図３４（Ａ）に示すように選択肢が１つなので必然的に決まる。また１０ＭＨｚ帯域幅能力の移動局の使用帯域は、２個の候補（０番と１番）、５ＭＨｚ帯域幅能力の移動局の使用帯域は、４個の候補（０〜３番）、２.５ＭＨｚ帯域幅能力の移動局の使用帯域は、８個の候補（０〜７番）、１.２５ＭＨｚ帯域幅能力の移動局の使用帯域は、１６個の候補（０〜１５番）がある。【０２３２】
図３４（Ｂ）は、各能力帯域幅を持つ移動局のクラス分けをしたものである。ここでは１.２５ＭＨｚから順に、２０ＭＨｚまで０〜５番のＩＤが割り振られている。
図３４（Ａ）の候補番号と図３４（Ｂ）のＩＤとを、位置登録要求、ページング要求に含めることにより、移動局の使用周波数帯域位置が特定される。【０２３３】
次に、加入者識別情報ＩＭＳＩと前記移動局クラスから使用周波数帯域位置を特定するアルゴリズムを提案する。使用周波数帯域位置は、加入者識別情報ＩＭＳＩ、移動局の能力周波数帯域幅Ｂｎ、基地局の固有周波数帯域幅ＭＢｎｂ、使用周波数帯域位置を特定する使用周波数帯域位置番号Ｐｓ、及びパケットインジケーターの着信群数Ｎｐｉから、以下のように算出する。【０２３４】
シフト先周波数位置の候補数（Ｎｓ）＝ＭＢｎｂ／Ｂｎ              （式２７）
シフト先周波数位置番号（Ｐｓ）＝ＩＭＳＩ／Ｎｐｉ  ｍｏｄ  Ｎｓ  （式２８）【０２３５】
上記の算出式により、位置登録要求、ページング要求に加入者識別番号ＩＭＳＩと移動局の能力周波数帯域幅を示すＩＤを含めれば、基地局及び移動局で移動局の使用周波数帯域位置を特定できる。【０２３６】
図３５は、本発明に関わる位置登録の手順を説明するための図である。
移動局２００は、電源投入時、位置登録エリア更新時、及び位置登録周期をオーバーしている場合等に、アタッチ・位置登録処理を行なう。
まず、接続制御手順により基地局１００と移動局２００との間で無線ベアラの設定を行なう（Ｓ１０１）。接続制御手段終了後、移動局２００は、基地局１００を介して、位置管理装置３００へ位置登録要求を送出する（Ｓ１０２，Ｓ１０３）。この位置登録要求には、加入者識別情報及び移動局２００の能力周波数帯域幅が含まれている。【０２３７】
位置管理装置３００は、位置登録要求を受信すると、加入者識別情報（ＩＭＳＩ）と移動局２００の能力周波数帯域幅と位置登録エリアを位置管理データベースに登録する（Ｓ１０４）。位置管理装置３００は、移動局２００に対して位置登録応答を返信する（Ｓ１０５，Ｓ１０６）。この位置登録応答で、一時的な加入者識別情報ＴＭＳＩを割り当ててもよい。この位置登録手順では、認証、秘匿鍵交換などが同時に行なわれる。【０２３８】
図３６は、本発明に関わるページングの手順を説明するための図である。
位置管理装置３００は、移動局２００に対するパケットの着信を受けると（Ｓ１１１）、パケットの宛先の移動局２００の加入者識別情報及び移動局２００の能力周波数帯域幅及び位置登録エリアを位置管理データベースから取得し、ページング要求に加入者識別情報（ＩＭＳＩ）及び移動局の能力周波数帯域幅を含めて位置登録エリアの基地局へ送出する（Ｓ１１２）。【０２３９】
基地局１００では、ページング要求を受信すると、加入者識別情報及び移動局２００の能力周波数帯域幅から移動局２００の使用周波数帯域位置を算出して保持し（Ｓ１１３）、その使用周波数帯域位置でページング要求のパケットを送信する（Ｓ１１４）。
移動局２００は、自局の使用周波数帯域位置でページング要求を受信すると、位置管理装置３００に対して応答を送出する（Ｓ１１５、Ｓ１１６）。【０２４０】
なお上記図３５及び図３６では、移動局２００の能力周波数帯域幅を位置管理装置３００に登録するように説明したが、移動局２００の使用周波数帯域位置を登録してもよい。【０２４１】
本発明に関わる基地局装置及び移動局装置及び位置管理装置で動作するプログラムは、本発明に関わる移動局の位置登録方法、ページング方法を実行するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。【０２４２】
プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。【０２４３】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明の実施形態を実現する記録媒体に含まれる。
【図１】
0005390771.tif 000003
【図２】
0005390771.tif 000004
【図３】
0005390771.tif 000005
【図４】
0005390771.tif 000006
【図５】
0005390771.tif 000007
【図６】
0005390771.tif 000008
【図７】
0005390771.tif 000009
【図８】
0005390771.tif 000010
【図９】
0005390771.tif 000011
【図１０】
0005390771.tif 000012
【図１１】
0005390771.tif 000013
【図１２】
0005390771.tif 000014
【図１３】
0005390771.tif 000015
【図１４】
0005390771.tif 000016
【図１５】
0005390771.tif 000017
【図１６】
0005390771.tif 000018
【図１７】
0005390771.tif 000019
【図１８】
0005390771.tif 000020
【図１９】
0005390771.tif 000021
【図２０】
0005390771.tif 000022
【図２１】
0005390771.tif 000023
【図２２】
0005390771.tif 000024
【図２３】
0005390771.tif 000025
【図２４】
0005390771.tif 000026
【図２５】
0005390771.tif 000027
【図２６】
0005390771.tif 000028
【図２７】
0005390771.tif 000029
【図２８】
0005390771.tif 000030
【図２９】
0005390771.tif 000031
【図３０】
0005390771.tif 000032
【図３１】
0005390771.tif 000033
【図３２】
0005390771.tif 000034
【図３３】
0005390771.tif 000035
【図３４】
0005390771.tif 000036
【図３５】
0005390771.tif 000037
【図３６】
0005390771.tif 000038
【図３７】
0005390771.tif 000039
【図３８】
0005390771.tif 000040
【図３９】
0005390771.tif 000041